(57)【特許請求の範囲】
【請求項１】
ワイヤレス通信システムにおいて端末デバイスと基地局との間の通信リンクに対応するチャネル状態情報を報告するための方法であって、前記ワイヤレス通信システムは、少なくとも１つの特徴的なサブバンドサイズを有する複数のサブバンド部分に分割されるシステム帯域幅と、複数のサブシステムサブバンド部分に分割されるサブシステム帯域幅と、を有し、前記方法は、
前記システム帯域幅にわたって複数の通信リソース要素を提供することと、
前記通信リソース要素のうちの１つ以上中のチャネル状態に対応する１つ以上のチャネル状態パラメータを測定することと、
前記通信リソース要素の前記チャネル状態に対応する少なくとも１つの測定されたチャネル状態パラメータからアグリゲートチャネル状態情報を生成することと、
それぞれのサブバンド部分内の前記通信リソース要素の前記チャネル状態に対応する少なくとも１つの測定されたチャネル状態パラメータからサブバンドチャネル状態情報を生成することと、
前記サブシステム帯域幅にわたって複数のサブシステム通信リソース要素を提供することと、
前記サブシステム通信リソース要素のチャネル状態に対応する少なくとも１つの測定されたチャネル状態パラメータからサブシステムチャネル状態情報を生成することと、
それぞれのサブシステムサブバンド部分内の前記通信リソース要素の前記チャネル状態に対応する少なくとも１つの測定されたチャネル状態パラメータからサブシステムサブバンドチャネル状態情報を生成することと
を含み、
前記サブバンド部分の前記サイズは無線伝搬条件に依存し、
前記サブシステムサブバンド部分の前記サイズは無線伝搬条件に依存し、
前記サブシステムは仮想キャリアサブシステムである、
方法。
【請求項２】
前記サブバンド部分の前記サイズは無線リソースシグナリングでブロードキャストされる、請求項１に記載の方法。
【請求項３】
前記方法は、
前記通信リンクに関連する無線伝搬条件の少なくとも１つのカテゴリーを判定することと、
無線伝搬条件のカテゴリーに対応するサブバンドサイズをリストするルックアップテーブルを提供することと、
前記判定されたカテゴリーに関連する前記サブバンドサイズを選択することと
をさらに含む、請求項１に記載の方法。
【請求項４】
前記カテゴリー分類された無線伝搬条件は、
前記基地局のサイトタイプと、
前記基地局ロケーションのモフォロジタイプと、
前記端末デバイスのモビリティタイプと、
基地局の前記タイプのインジケータと
を含む無線伝搬条件のグループから選択される少なくとも１つの無線伝搬条件を含む、請求項３に記載の方法。
【請求項５】
前記方法は、
周囲無線伝搬条件の少なくとも１つのカテゴリーを判定することと、
少なくとも１つの周囲無線伝搬条件に従ってサブバンドサイズを計算することと、
前記判定されたカテゴリーに関連する前記サブバンドサイズを選択することと
をさらに含む、請求項１〜４のいずれか一項に記載の方法。
【請求項６】
前記カテゴリー分類された周囲無線伝搬条件は、
遅延拡散の尺度と、
ＳＩＮＲ測定値と、
ダウンリンクデータチャネルの送信モードのインジケータと
を含む周囲無線伝搬条件のグループから選択される少なくとも１つの無線伝搬条件を含む、請求項５に記載の方法。
【請求項７】
前記方法は、
ＵＥが受ける少なくとも１つの無線伝搬特性を測定することと、
前記測定された無線伝搬特性に従って動的サブバンドサイズを計算することと、
予め決定される時間期間の間、前記サブバンドサイズとして前記動的サブバンドサイズを使用することと
をさらに含む、請求項１〜４のいずれか一項に記載の方法。
【請求項８】
前記測定された無線伝搬特性は、
遅延拡散の尺度と、
ＳＩＮＲ測定値と、
ダウンリンクデータチャネルの送信モードのインジケータと
を含む測定されたパラメータのグループから選択される少なくとも１つの無線伝搬特性を含む、請求項７に記載の方法。
【請求項９】
前記サブバンド部分のサイズの変化をシグナリングすることをさらに含み、無線伝搬条件の変化に対応するサブバンドサイズの前記変化はＬ１シグナリングで示される、請求項１〜８のいずれか一項に記載の方法。
【請求項１０】
前記サブバンド部分のサイズの変化をシグナリングすることをさらに含み、無線伝搬条件の変化に対応するサブバンドサイズの前記変化は無線リソースシグナリングで示される、請求項１〜８のいずれか一項に記載の方法。
【請求項１１】
前記複数のサブバンド部分は複数の特徴的なサブバンドサイズを有し、前記サブバンド部分の少なくとも第１のグループは第１の特徴的なサブバンドサイズを有し、前記サブバンド部分の第２のグループは第２の特徴的なサブバンドサイズを有し、前記第１の特徴的なサブバンドサイズと前記第２の特徴的なサブバンドサイズは異なり、それによって、前記システム帯域幅の異なる部分について異なる程度の粒度でチャネル状態情報を報告することが可能になる、請求項１〜１０のいずれか一項に記載の方法。
【請求項１２】
ワイヤレス通信システムにおいて基地局への通信リンクに対応するチャネル状態情報を報告するための端末デバイスであって、前記ワイヤレス通信システムは、少なくとも１つの特徴的なサブバンドサイズを有する複数のサブバンド部分に分割されるシステム帯域幅と、複数のサブシステムサブバンド部分に分割されるサブシステム帯域幅と、を有し、前記システム帯域幅にわたって複数の通信リソース要素を提供し、前記サブシステム帯域幅にわたって複数のサブシステム通信リソース要素を提供し、前記端末デバイスは、
前記通信リソース要素のうちの１つ以上中のチャネル状態に対応する１つ以上のチャネル状態パラメータを測定するように動作可能な測定ユニットと、
前記通信リソース要素の前記チャネル状態に対応する少なくとも１つの測定されたチャネル状態パラメータからアグリゲートチャネル状態情報を生成することと、それぞれのサブバンド部分内の前記通信リソース要素の前記チャネル状態に対応する少なくとも１つの測定されたチャネル状態パラメータからサブバンドチャネル状態情報を生成することとを行うように動作可能な処理ユニットと
を備え、
前記サブバンド部分の前記サイズは無線伝搬条件に依存し、
前記処理ユニットは、前記サブシステム通信リソース要素の前記チャネル状態に対応する少なくとも１つの測定されたチャネル状態パラメータからサブシステムチャネル状態情報を生成することと、
それぞれのサブシステムサブバンド部分内の前記通信リソース要素の前記チャネル状態に対応する少なくとも１つの測定されたチャネル状態パラメータからサブシステムサブバンドチャネル状態情報を生成することと
を行うようにさらに動作可能であり、
前記サブシステムサブバンド部分の前記サイズは無線伝搬条件に依存し、
前記サブシステムは仮想キャリアサブシステムである、
端末デバイス。
【請求項１３】
無線リソース制御（ＲＲＣ）プロトコルに準拠するアップリンク信号を準備するように適応されるプロトコル回路をさらに備え、前記サブバンド部分の前記サイズは無線リソースシグナリングでブロードキャストされる、請求項１２に記載の端末デバイス。
【請求項１４】
前記端末デバイスは、前記通信リンクに関連する無線伝搬条件の少なくとも１つのカテゴリーを判定するように適応されるサブバンドサイズセレクタをさらに備え、前記サブバンドサイズセレクタは、無線伝搬条件のカテゴリーに対応するサブバンドサイズをリストするルックアップテーブルを記憶するデータベースを含み、前記サブバンドサイズセレクタは、前記判定されたカテゴリーに関連する前記サブバンドサイズになるように前記サブバンドサイズを定義する、請求項１２に記載の端末デバイス。
【請求項１５】
前記カテゴリー分類された無線伝搬条件は、
前記基地局のサイトタイプと、
前記基地局ロケーションのモフォロジタイプと、
前記端末デバイスのモビリティタイプと、
基地局の前記タイプのインジケータと
を含む無線伝搬条件のグループから選択される少なくとも１つの無線伝搬条件を含む、請求項１４に記載の端末デバイス。
【請求項１６】
前記端末デバイスは、周囲無線伝搬条件の少なくとも１つのカテゴリーを判定するように適応されるサブバンドサイズセレクタをさらに備え、前記サブバンドサイズセレクタは、少なくとも１つの周囲無線伝搬条件の前記判定されたカテゴリーに従ってサブバンドサイズを計算し、前記サブバンドサイズセレクタは、前記判定されたカテゴリーに関連する前記サブバンドサイズになるように前記サブバンドサイズを定義する、請求項１２に記載の端末デバイス。
【請求項１７】
前記カテゴリー分類された周囲無線伝搬条件は、
遅延拡散の尺度と、
ＳＩＮＲ測定値と、
ダウンリンクデータチャネルの送信モードのインジケータと
を含む周囲無線伝搬条件のグループから選択される少なくとも１つの無線伝搬条件を含む、請求項１６に記載の端末デバイス。
【請求項１８】
前記測定ユニットは、前記端末デバイスが受ける少なくとも１つの無線伝搬特性を測定するようにさらに動作可能であり、前記端末デバイスは、前記測定された無線伝搬特性に従って動的サブバンドサイズを計算することと、予め決定される時間期間の間、前記サブバンドサイズとして前記動的サブバンドサイズを使用することとを行うように適応されるサブバンドサイズセレクタをさらに備える、請求項１２に記載の端末デバイス。
【請求項１９】
前記測定された無線伝搬特性は、
遅延拡散の尺度と、
ＳＩＮＲ測定値と、
ダウンリンクデータチャネルの送信モードのインジケータと
を含む測定されたパラメータのグループから選択される少なくとも１つの無線伝搬特性を含む、請求項１８に記載の端末デバイス。
【請求項２０】
前記サブバンド部分のサイズの変化をシグナリングするための手段と、レイヤ１（Ｌ１）プロトコルに準拠するアップリンク信号を準備するように適応されるプロトコル回路とをさらに備え、無線伝搬条件の変化に対応するサブバンドサイズの前記変化はＬ１シグナリングで示される、請求項１２〜１９のいずれか一項に記載の端末デバイス。
【請求項２１】
前記サブバンド部分のサイズの変化をシグナリングするための手段と、無線リソース制御（ＲＲＣ）プロトコルに準拠するアップリンク信号を準備するように適応されるプロトコル回路とをさらに備え、無線伝搬条件の変化に対応するサブバンドサイズの前記変化は無線リソースシグナリングで示される、請求項１２〜１９のいずれか一項に記載の端末デバイス。
【請求項２２】
前記複数のサブバンド部分は複数の特徴的なサブバンドサイズを有し、前記サブバンド部分の少なくとも第１のグループは第１の特徴的なサブバンドサイズを有し、前記サブバンド部分の第２のグループは第２の特徴的なサブバンドサイズを有し、前記第１の特徴的なサブバンドサイズと前記第２の特徴的なサブバンドサイズは異なり、それによって、前記システム帯域幅の異なる部分について異なる程度の粒度でチャネル状態情報を報告することが可能になる、請求項１２〜２１のいずれか一項に記載の端末デバイス。
【発明の詳細な説明】
【技術分野】
【０００１】
本発明は、ワイヤレス通信システムにおいてモバイル端末にデータを送信し及び／又はデータを受信するための電気通信装置、方法、システム及び装置に関する。詳細には、本発明は、ワイヤレス通信システムにおけるチャネル状態情報の報告に関する。
【背景技術】
【０００２】
チャネル状態情報は、（ＷｉＭＡＸ及びＬＴＥなどの）直交周波数分割多重（ＯＦＤＭ）ベースの無線アクセス技術を有するセルラー電気通信ネットワーク中のマシンタイプ通信（ＭＴＣ）デバイスの有効動作に特に関連性があり得る。
【０００３】
無線技術の開発において考慮されるべき重要問題のうちの１つはフェージングである。フェージングは、電波伝播に多くの方法で影響を及ぼし得る：受信機は、減衰と、時間遅延と、位相シフトとの影響を示すマルチパス信号（タップ）を受信し得る。フェージングを克服するために、リンクアダプテーション技術がワイヤレス通信のために広く使用されている。
【発明の概要】
【発明が解決しようとする課題】
【０００４】
リンクアダプテーションを使用するために、（ＬＴＥにおいて導入されたチャネル品質インジケータ（ＣＱＩ）などの）チャネル状態情報がＵＥごとに取得される必要がある。ＣＱＩは、モバイル端末（例えばユーザ機器、ＵＥ）から基地局（例えばｅノードＢ）へのダウンリンクチャネル品質の尺度のフィードバックである。
【課題を解決するための手段】
【０００５】
本発明の第１の態様によれば、ワイヤレス通信システムにおいて端末デバイスと基地局との間の通信リンクに対応するチャネル状態情報を報告するための方法が提供され、ワイヤレス通信システムは、少なくとも１つの特徴的なサブバンドサイズを有する複数のサブバンド部分に分割されるシステム帯域幅を有し、本方法は、
システム帯域幅にわたって複数の通信リソース要素を提供することと、
通信リソース要素のうちの１つ以上中のチャネル状態に対応する１つ以上のチャネル状態パラメータを測定することと、
通信リソース要素のチャネル状態に対応する少なくとも１つの測定されたチャネル状態パラメータからアグリゲートチャネル状態情報を生成することと、
それぞれのサブバンド部分内の通信リソース要素のチャネル状態に対応する少なくとも１つの測定されたチャネル状態パラメータからサブバンドチャネル状態情報を生成することと
を含み、サブバンド部分のサイズは無線伝搬条件に依存する。
【０００６】
チャネル状態情報は、好ましくはチャネル品質インジケータ（ＣＱＩ）であり得る。その結果、サブバンドサイズは、周波数領域（例えばサブキャリア又はＲＢ）中のチャネル品質変動の程度に応じて変更される。チャネルがフラットであるとき、大きいサブバンドサイズ（最大ケース広帯域ＣＱＩ）が選択される。
【０００７】
好都合には、複数のサブバンド部分は複数の特徴的なサブバンドサイズを有し得、サブバンド部分の少なくとも第１のグループは第１の特徴的なサブバンドサイズを有し、サブバンド部分の第２のグループは第２の特徴的なサブバンドサイズを有し、第１の特徴的なサブバンドサイズと第２の特徴的なサブバンドサイズは異なり、それによって、システム帯域幅の異なる部分について異なる程度の粒度（granularity）でチャネル状態情報を報告することが可能になる。したがって、（広帯域）ホストキャリア内で、サブバンドサイズは、チャネル品質の変動に応じて適応的に選択される。
【０００８】
これは、狭帯域キャリアに微細分解能周波数スケジューリングとスループットのより良い性能とを提供することを可能にし、ホストキャリアにおける効率的なＭＴＣ仮想キャリア（狭帯域）動作を可能にする。
【０００９】
さらに、本方法は、構成されたサブバンドサイズの標識を容易にする。
【００１０】
本方法の結果として、サブバンドサイズは、周波数選択性フェージングの存在と程度とに応じて好ましく選択される。
【００１１】
本方法は、以下で説明する仮想キャリアサブシステムなどの狭帯域キャリアに、広帯域ＣＱＩだけでなく、微細分解能サブバンドＣＱＩをも提供する。
【００１２】
本発明の様々なさらなる態様及び実施形態が、添付の独立請求項及び従属請求項において提供される。
【００１３】
本発明の第１及び他の態様に関して上記で説明した本発明の特徴及び態様は、本発明の実施形態に等しく適用可能であり、上記で説明した特定の組合せにおけるものだけではなく、適宜に本発明の様々な態様に従って本発明の実施形態と組み合わせられ得ることを了解されるであろう。さらに、従属請求項の特徴は、特許請求の範囲において明示的に提示されたもの以外の組合せで、独立請求項の特徴と組み合わせられ得る。
【図面の簡単な説明】
【００１４】
本発明の実施形態について、添付の図面を参照しながら例示のみとして説明し、ここで、同様の部分は対応する参照番号を伴って提供される。
【００１５】
【図１】従来のモバイル電気通信ネットワークのいくつかの機能要素を概略的に示す。
【図２】「Ｍ番目に良い」サブバンドＣＱＩの従来の選択を示す。
【図３】本発明の第２の実施形態による例示的なＵＥ開始型半静的サブバンドサイズ設定プロシージャを示す。
【図４Ａ】本発明の第２の実施形態による例示的なｅノードＢ開始型半静的サブバンドサイズ設定プロシージャを示す。
【図４Ｂ】本発明の第２の実施形態による例示的なｅノードＢ開始型半静的サブバンドサイズ設定プロシージャを示す。
【図４Ｃ】本発明の第２の実施形態による例示的なｅノードＢ開始型半静的サブバンドサイズ設定プロシージャを示す。
【図５】本発明の一実施形態による、サブバンドサイズ変更を判定するためのサブキャリアＳＩＮＲ方法を示す。
【図６】サブキャリアＳＩＮＲ方法におけるサブバンドサイズ探索中にサブバンドサイズ計算ウィンドウがどのように変化するかを示す。
【図７】各サブバンドについての直接送信のためにそれぞれ準備される、複数のサブバンドＣＱＩを示す。
【図８】時分割を使用してサブバンドＣＱＩを送信するための代替方法を示す。
【図９】（予め決定される範囲外にＣＱＩが出た場合のみ、ＣＱＩを報告する）選択されたサブバンドＣＱＩ報告方法を示す。
【図１０】Ｌ１サブバンドＣＱＩ報告を示す。
【図１１Ａ】サブバンドサイズシグナリングのための物理レイヤ（Ｌ１）における異なるタイプのシグナリングを示す。
【図１１Ｂ】サブバンドサイズシグナリングのための物理レイヤ（Ｌ１）における異なるタイプのシグナリングを示す。
【図１１Ｃ】サブバンドサイズシグナリングのための物理レイヤ（Ｌ１）における異なるタイプのシグナリングを示す。
【図１２】（ＲＲＣを使用する）ＵＥ開始型サブバンドサイズ変更プロシージャを示す。
【図１３】（ＲＲＣを使用する）ｅノードＢ開始型サブバンドサイズ変更プロシージャを示す。
【図１４】ＭＴＣサーバ開始型サブバンドサイズ変更プロシージャを示す。
【図１５】典型的な端末（ＵＥ）内の機能構成ブロックを概略的に表す。
【図１６】端末のベースバンド処理要素の論理アーキテクチャを示す。
【図１７】典型的なｅノードＢ内の機能構成ブロックを概略的に表す。
【図１８】基地局のベースバンド処理要素の論理アーキテクチャを示す。
【図１９】ＬＴＥ／ＳＡＥ／ＭＴＣアーキテクチャのためのプロトコルスタックを示す。
【図２０】ホストキャリア中に共存する仮想キャリアを示す。
【図２１Ａ】（チャネル品質の）周波数選択性フェージングを示す。
【図２１Ｂ】周波数選択性フェージング条件における周波数の範囲にわたる適応サブバンドサイズを示す。
【図２２】複数のタップを有するマルチパス信号のための電力遅延プロファイルを示す。
【図２３】複数のマルチパス信号にわたって平均化された典型的な電力遅延プロファイルを示す。
【発明を実施するための形態】
【００１６】
図１に、例えばＬＴＥ（Long  Term  Evolution）アーキテクチャを使用する、従来のモバイル電気通信ネットワークのいくつかの基本機能を示す概略図を提供する。
【００１７】
このネットワークは、（点線ボックス中の）コアネットワーク１１０に接続された複数の基地局１０４を含む（簡単のためにただ１つの基地局が示されている）。各基地局１０４は、（モバイル端末（ＭＴ）又はユーザ機器（ＵＥ）とも呼ばれる）端末デバイス１０２との間でデータがその内で通信され得るカバレージエリア（即ちセル）を提供する。それらのそれぞれのカバレージエリア内で無線ダウンリンク１２４を介してデータが基地局１０４から端末デバイス１０２に送信される。無線アップリンク１２２を介してデータが端末デバイス１０２から基地局１０４に送信される。
【００１８】
コアネットワーク１１０は、それぞれの基地局１０４を介して端末デバイス１０２との間でデータをルーティングし、認証、モビリティ管理、課金などの機能を提供する。コアネットワーク中の典型的なエンティティは、モビリティ管理エンティティ（ＭＭＥ）１０６及び加入者データベース（ＨＳＳ）１０８を含み、これらのエンティティは、ＵＥがネットワークのカバレージ内に位置する場合はいつでもＵＥへの通信サービスの提供を可能にする。データサービスへのアクセスは、サービングゲートウェイ１１２及びパケットデータネットワーク（ＰＤＮ）ゲートウェイ１１４によって提供される。
【００１９】
図１はまた、マシンタイプ通信（ＭＴＣ）デバイスの効率的な管理を可能にするためにネットワークを拡張する要素を示している。図示されたコアネットワーク１１０はＭＴＣサーバ１１６を組み込んでいる。随意のＭＴＣゲートウェイ１２０も図１に示されている。そのようなゲートウェイは、１つ以上のＭＴＣデバイスと通信し、次いで、接続されたＭＴＣデバイスのために基地局１０４とのアップリンク及び／又はダウンリンク通信経路を確立するハブ端末デバイスを提供し得る。
【００２０】
本開示全体にわたって、「ＭＴＣサーバ」という用語は、３ＧＰＰ  ＴＳ  ２２．３６８  ［１］において定義されているタイプのＭＴＣサーバを指し、そこでの定義は、パブリックランドモバイルネットワーク（ＰＬＭＮ）［即ちモバイル電気通信ネットワーク］に通信し、及びＰＬＭＮを通してＭＴＣデバイスに通信するサーバというものである。ＭＴＣサーバはまた、ＭＴＣユーザによってアクセスされ得るインターフェースを有する。ＭＴＣサーバはＭＴＣユーザのためのサービスを実行する。
【００２１】
３ＧＰＰ規定のＬＴＥ（Long  Term  Evolution）アーキテクチャに従って配置されたモバイル電気通信システムなどのモバイル電気通信システムでは、基地局（例えばｅノードＢ１０４）と通信端末（例えばＵＥ１０２、ＭＴＣゲートウェイ１２０）との間の通信はワイヤレスエアインターフェース、Ｕｕを介して行われる。Ｕｕインターフェース上のダウンリンク１２４は直交周波数分割多元接続（ＯＦＤＭＡ）技術を使用するが、アップリンク１２２はシングルキャリア周波数分割多元接続（ＳＣ−ＦＤＭＡ）技術を使用する。どちらの場合も、システム帯域幅は、（それぞれ１５ｋＨｚを占有する）複数の「サブキャリア」に分割される。
【００２２】
ダウンリンクＵｕインターフェースは、「フレーム」構造を使用してリソースを時間的に編成する。ダウンリンク無線フレームはｅノードＢから送信され、１０ｍｓ間持続する。ダウンリンク無線フレームは１０個のサブフレームを含み、各サブフレームは１ｍｓ間持続する。サブフレームは、予め決定される数の「シンボル」を含み、シンボルはそれぞれの１／１４ｍｓ期間にわたってそれぞれ送信される。各シンボルは、ダウンリンク無線キャリアの帯域幅にわたって分散される、予め決定される数の直交サブキャリアを含む。
【００２３】
特定の一例を挙げると、サブフレームは、２０ＭＨｚ帯域幅にわたって１４個のシンボル及び１２００個のサブキャリアが拡散されるように定義され得る。ユーザデータは、ｅノードＢのスケジューラによって、送信のために、１２個のサブキャリアを含む「リソースブロック（ＲＢ）」内に割り振られる。
【００２４】
直列データ送信技法と比較したとき、ＯＦＤＭ技法は、シンボルの比較的長い持続時間の結果として遅延拡散についてトレラントであると見なされる。とはいえ、このトレランスが不十分である状況がある。
【００２５】
ＯＦＤＭ信号の時間スケールにわたって、周波数領域におけるフェージングは比較的フラットであり得る。周波数選択性フェージングは、セルが比較的大きく及び／又は自然環境若しくは構築された環境中にいくつかの破壊的な特徴をカバーする場合に起こるものである：高比率のモバイルＵＥをもつ大きい密集都市地域をカバーするセルは、典型的には、人口のまばらな平地をカバーするセルよりも大きい遅延拡散を受けるであろう。フェージングを克服するために、リンクアダプテーション技術がワイヤレス通信のために広く使用されている。
【００２６】
リンクアダプテーションを使用するために、（ＬＴＥにおいて導入されたチャネル品質インジケータ（ＣＱＩ）などの）チャネル状態情報がＵＥごとに取得される必要がある。ＣＱＩは、モバイル端末（例えばユーザ機器、ＵＥ）から基地局（例えばｅノードＢ）へのダウンリンクチャネル品質の尺度のフィードバックである。
【００２７】
［コヒーレンス帯域幅及び遅延拡散］
過大な遅延はＩＳＩ（シンボル間干渉）に影響を及ぼし得、それは周波数選択性フェージングを引き起こし得る。
【００２８】
マルチパス信号では、例示的な電力遅延プロファイルは図２２のように見えるであろう。ここで、受信信号の電力Ｐ（ｔ）は、Ｐ１（ｔ）からＰＮ（ｔ）という、Ｎ（＝４）個のタップとして受信される。
【００２９】
本文献において、「過剰遅延」という用語は、最初のタップに対する任意のタップの遅延である。同様に、「総遅延」という用語は、最初のタップと最後のタップとの間の遅延差である。総電力ＰＴは、すべてのタップ電力の合計である、即ち、
【００３０】
【数１】
0006336485.tif 000002
【００３１】
平均遅延τ０は、電力によって重み付けされた平均遅延として定義される。
【００３２】
【数２】
0006336485.tif 000003
【００３３】
ワイヤレス伝搬特性のための重要なパラメータのうちの１つは遅延拡散である。遅延拡散は、平均化されたマルチパス遅延の標準偏差（又は２乗平均平方根、ｒ．ｍ．ｓ．）値である。２乗平均平方根（ｒｍｓ）を取られた遅延拡散τｒｍｓは、今度は以下のように、平均遅延の概念を使用して定義される。
【００３４】
【数３】
0006336485.tif 000004
【００３５】
ｒｍｓ遅延拡散は多くの異なる無線条件において計算され得る特性であるので、ｒｍｓ遅延拡散は、様々な環境の比較を可能にするために使用される。
【００３６】
複数の電力遅延プロファイルを考察するとき、平均電力遅延プロファイルは図２３のように見えるであろう。上記で定義した用語は、平均化されたデータの処理において本質的に同じである。
【００３７】
ＲＭＳ遅延拡散は、このようにして、マルチパスによって生じる遅延の統計的分布を示し得る。大きい遅延拡散は、広帯域システムにおける周波数選択性フェージングに相関する（図２１Ａ参照）。対照的に、比較的小さい遅延拡散は「フラットフェージング」プロファイルに対応し、ここで、フェージングは、システム周波数帯域幅にわたる周波数に比較的依存しない。
【００３８】
遅延拡散の式を導出するために、最初に、以下のように重み付き平均マルチパス遅延の式を定義することが有用である。
【００３９】
【数４】
0006336485.tif 000005
【００４０】
ただし、Ｐは電力であり、ｔｘは所与のマルチパスｘの遅延であり、τは遅延であり、Ｐａｐｄは平均電力遅延プロファイルの式である（図２３参照）。図２２に示された離散的な場合に関しては、ＲＭＳ遅延拡散Ｄｓｐｒｅａｄは、重み付き平均マルチパス遅延を使用して定義され得る。
【００４１】
図２１Ａに示されたチャネル品質における周波数選択性フェージングは、チャネル品質におけるフェージングがフラットなままである周波数の範囲（２１０２、２１０４）と、フェージングがより顕著である他の範囲（２１０６、２１０８）とを含む。特に、フラットフェージングプロファイルは、チャネル品質が比較的低いがフェージングが範囲上で周波数選択性でない、１つの図示された範囲２１０２の場合のように、必ずしも高いチャネル品質の尺度に対応するものでない。
【００４２】
（例えば、システム帯域幅に対する直接比較のために）フェージング特性の評価を簡略化するために、遅延拡散から「コヒーレンス帯域幅」が計算され得る。所与のシステムについてのコヒーレンス帯域幅Ｗｃは以下の式に定義される。
【００４３】
【数５】
0006336485.tif 000006
【００４４】
ただし、Ｄｓｐｒｅａｄは遅延拡散を意味する。
【００４５】
既知のシステム帯域幅（例えば、２０ＭＨｚ）を有するシステムでは、コヒーレンス帯域幅は、遅延がフラットフェージングを引き起こすのか周波数選択性フェージングを引き起こすのかを判定するために使用される。コヒーレンス帯域幅がシステム帯域幅よりも広い場合、それはフラットフェージングである。コヒーレンス帯域幅がシステム帯域幅よりも狭い場合、それは周波数選択性フェージングである。
【００４６】
ＬＴＥの場合、遅延拡散は、３ＧＰＰへのＲ４−０７０５７２サブミッションから引用された、表１としてここに再掲される表を調べることによって判定される。
【００４７】
【表１】
0006336485.tif 000007
【００４８】
マクロセルをもつ都市マクロエリアでは、より大きい遅延拡散が起こる可能性が最も高いと見なされ得る。例えば、Ｗｉｎｎｅｒプロジェクトは、ワイドエリアのための遅延プロファイルを１０ｎｓと４６００ｎｓとの間に定義した。Ｗｉｎｎｅｒプロジェクトのさらなる詳細はhttp://projects.celtic-initiative.org/winner+において見つけられ得る。
【００４９】
［ＣＱＩ報告］
正確なリンクアダプテーションを行うために、ＬＴＥのリリース８にチャネル品質インジケータ（ＣＱＩ）が導入された。ＵＥは、ダウンリンクのチャネル品質を測定し、それを（アップリンク送信、例えばＰＵＳＣＨ又はＰＵＣＣＨにおいて）ｅノードＢに報告する。ＣＱＩは、ダウンリンクのチャネル品質の尺度を報告するために使用される。この報告に基づいて、ｅノードＢは、スケジューラによってリンクアダプテーションを実行する。
【００５０】
ＣＱＩの２つのカテゴリーが定義されており、一方は周期ＣＱＩであり、他方は非周期ＣＱＩである。ＵＥは、あるサブフレームごとに周期ＣＱＩを送信する。このあるサブフレームは、必要な場合、上位レイヤによって変化可能であり得る。ＵＥは、必要な場合、非周期ＣＱＩをも送信する。
【００５１】
さらに、ＣＱＩの２つの帯域幅タイプが考慮され、その一方は広帯域ＣＱＩであり、他方はサブバンドＣＱＩである。周波数選択性フェージングにより、各サブキャリアのチャネル品質は異なることがある。広帯域ＣＱＩの場合、全帯域幅にわたって平均化された１つの値が送信される。広帯域ＣＱＩ報告は、周波数選択性状況に適応するのを支援しない。サブバンドＣＱＩの場合、全帯域はサブバンド部分に分割され、各サブバンド部分のチャネル品質が測定される。
【００５２】
ＬＴＥのような広帯域システムにおいてコヒーレンス帯域幅をシステム帯域幅と比較すると、システム帯域幅がより広くなるほど、周波数選択性フェージングを受ける傾向がより高くなることになることが明らかである。したがって、サブバンドＣＱＩは、広帯域ＣＱＩのみよりも応答的な周波数スケジューリングを提供する。
【００５３】
［サブバンドサイズ］
過大な数のサブバンドＣＱＩ送信を必要とすることを回避するために、サブバンドサイズは、限られた数のリソースブロックになるように選択される。システム帯域幅（全帯域幅）に応じて、サブバンドサイズは仕様に定義されており（表２参照）、ただし、パラメータサブバンドサイズｋはＲＢ（リソースブロック）の数である。
【００５４】
【表２】
0006336485.tif 000008
【００５５】
それの現在の仕様では、したがって、ＬＴＥ規格は、狭帯域（例えば、６ＲＢ以下）のシステム帯域幅を有するＬＴＥシステムにおけるサブバンドＣＱＩの定義を提供しない。この場合では広帯域ＣＱＩのみが適用される。この仕様では、最高周波数におけるサブバンドを除くすべてが、同じ、定義されたサブバンドサイズになることに留意されたい。
【００５６】
［「Ｍ番目に良い」サブバンドＣＱＩ送信］
サブバンドサイズが１つのＲＢ（リソースブロック）よりも多くなるように定義された場合でも、ＵＥが一度に送信しなければならないＣＱＩの数は、典型的には大きすぎると見なされる。例えば、システム帯域幅が１１０個のＲＢ（２０ＭＨｚ）であるとき、サブバンドの数は
【数６】
0006336485.tif 000009
である。シグナリング負荷及びアップリンク干渉を低減するために、ＵＥによって測定された複数のＣＱＩの中から制限された数（Ｍ個）のＣＱＩを選択するＣＱＩ報告方法がＲｅｌ−８  ＬＴＥに導入される。スケジューラは、ＵＥのために良好な条件の周波数リソースを割り振るように動作し、したがって、スケジューラは、どのサブバンドが最悪の条件であるかを知得することよりもむしろ、どのサブバンドが「最良の条件」にあるかを知得することがより重要である。
【００５７】
したがって、ＵＥは、サブバンドチャネル品質に基づいてランク付けを行い、「１番目からＭ番目に」良いサブバンドＣＱＩを選択し、選択されたサブバンドＣＱＩを送信する。
【００５８】
図２に示された例では、ＵＥは、「最良の２つ」のＣＱＩのみを報告するように構成される：ＵＥは、広帯域ＣＱＩ値の上部で「最良」のサブバンドＣＱＩ値２０２と「次善」のサブバンドＣＱＩ値２０４とを送信する。ＣＱＩは、３番目からＭ番目に良い他のサブバンド２０６について省略される。この方法は不要なシグナリングを低減する。
【００５９】
［ＣＱＩ差分送信方法］
ＣＱＩの絶対値がサブバンドごとに送信される場合、シグナリング負荷はＣＱＩ粒度（granularity）の値（即ち、量子化ビットの数）で乗算されたサブバンドの数であるので、送信されるべきシグナリングビットの数は大きくなり得る。
【００６０】
シグナリングオーバーヘッドを低減するために、Ｒｅｌ−８  ＬＴＥに差分送信方法が導入される。言い換えれば、サブバンドＣＱＩは、測定されたサブバンドＣＱＩと主要な広帯域ＣＱＩとの間の差分値として送信され、それにより、送信されるべきビット数が低減される。
【００６１】
サブバンドＣＱＩ＝広帯域ＣＱＩ（全帯域）＋差分値（サブバンド）
【００６２】
［狭帯域のためのサブバンドＣＱＩ］
特に表２に関して上記で言及したように、サブバンドサイズは、すべての従来のＬＴＥシステムにおいて定義されているとは限らない：ＬＴＥ規格は、（「狭帯域」システムと以下呼ぶ）６ＲＢ以下のシステム帯域幅を有するＬＴＥシステムにおけるサブバンドＣＱＩの定義を提供しない。これらの狭帯域システムでは、広帯域ＣＱＩのみが適用される。多くのネットワーク事業者はＬＴＥに帯域幅の６ＲＢより多く（例えば５ＭＨｚ又はそれ以上）を割り振っていたので、これは以前には特段の問題であると見なされていなかった。６ＲＢの場合は、規格には規定されているが、通例ではない。
【００６３】
しかしながら、より狭いシステム帯域幅にもかかわらずより微細な周波数分解能が魅力的であり得るシナリオ、例えば大きいセルをもつ都市エリア（したがって３０００ｎｓ〜４０００ｎｓの仮定される遅延拡散）がある。
【００６４】
特に、端末は、有効なＭＴＣデバイス動作をサポートするために広帯域ではなく狭帯域（即ち「仮想キャリア」）を使用し得る。標準仕様は、この状況に必ずしもとてもよく合うとは限らない。
【００６５】
前の同時係属特許出願は、マシンタイプ通信（ＭＴＣ）デバイスとユーザ機器端末（ＵＥ）のうち、特にマシンタイプ通信（ＭＴＣ）デバイスにサービスするＬＴＥネットワークにおける使用に好適な、従来のホストキャリア（ＨＣ）中に埋め込まれる、いわゆる仮想キャリア（ＶＣ）サブシステムのいくつかの部分の設計及び動作について詳細に論じた。仮想キャリアシステムのいくつかの態様については以下のアネックス１で論じられる。
【００６６】
狭帯域システムと、特にＭＴＣサポート仮想キャリアシステムとがサブバンドＣＱＩを必要とする状況に従来のＣＱＩ報告を適応させるために、固定サブバンドサイズ、半静的サブバンドサイズ、及び適応サブバンドサイズという、サブバンドサイズを定義し、必要ならばそれを適応させるための３つの関係する方法について説明する。異なる程度に、それらはそれぞれチャネル条件に従って特定される。
【００６７】
新しいサブバンドサイズの選択は、ＵＥの状況（都市エリア、マクロセルなど）に応じて遅延プロファイルが異なり得るので、簡単でないことがある。ただし、この状況は、サブバンドサイズの事前構成のために使用され得る。
【００６８】
（ＬＴＥなどの）ＯＦＤＭベース無線技術の重要な恩恵の１つは周波数スケジューリングである。しかしながら、広帯域ＣＱＩは、この恩恵を単独で供給することができない。所与のサブバンドにおける無線条件のより微細な測定値を与えるために、スケジューラによってこれが考慮に入れられ得るように、サブバンドＣＱＩ報告が広帯域ＣＱＩを補足する。
【００６９】
狭帯域キャリアを使用するＭＴＣデバイスは、大きい遅延プロファイル（例えば都市エリア）の場合、選択性フェージングを受け得る。
【００７０】
好ましくは、ＭＴＣ動作のために最適化された新しいサブバンドサイズが仮想キャリアのために定義されるべきである。
【００７１】
様々な実施形態が、（いずれも以前に提供されてない）ＶＣサブシステムのためのサブバンドサイズを導入し、少なくとも１つの実施形態が「適応サブバンドサイズ」を導入する。
【００７２】
特定の実施形態について以下の順序で説明する。
【００７３】
６ＲＢ以下の狭帯域のために固定サブバンドサイズが定義される、第１の実施形態。さらにより微細なサブバンドサイズは、リソースブロック内の個々のサブキャリアに基づいて考慮される。
【００７４】
半静的サブバンドサイズが定義される、第２の実施形態。半静的とは、サブバンドサイズが、例えば、ＭＴＣデバイスの設置時に一旦定義されると、滅多に変更されないが、これが所望される場合は変更を許可することを意味する。
【００７５】
適応サブバンドサイズの概念、即ち、サブバンドサイズの定義が、仮想キャリアの狭システム周波数帯域における実質的に現在のチャネル条件に従う、第３の実施形態。
【００７６】
その後、好適なＣＱＩ送信方法の詳細について説明する。
【００７７】
次いで、ＶＣサブバンド構成の物理及び上位レイヤシグナリングのための追加の技法についても述べる。
【００７８】
［仮想キャリアのための固定サブバンドサイズ（実施形態１）］
この実施形態では、狭帯域（例えば６ＲＢ帯域幅）の場合に新しいサブバンドサイズが導入される。
【００７９】
この狭帯域サブバンドのための周波数範囲の好都合で好適なサイズは、ＬＴＥにおけるリソース割振りのベースラインであるＲＢである（１つのリソースブロック＝１２＊１５ｋＨｚ＝１８０ｋＨｚ）。その結果、６ＲＢの仮想キャリア帯域幅では、これは６つのサブバンドを与えることになる。
【００８０】
固定サブバンドサイズの場合の１つのバージョンでは、このサブバンドサイズは表（表３）において定義され得る。固定サイズの恩恵及び仕様において定義されている恩恵は、シグナリングの必要がないということである。
【００８１】
【表３】
0006336485.tif 000010
【００８２】
典型的な都市環境（例えば遅延プロファイル＝１０００ｎｓ）では、１ＲＢ分解能は十分であり得る。しかしながら、より大きい遅延プロファイルの場合（２０００〜５０００ｎｓ、即ち複雑なマルチパスの場合）、より微細な分解能がより良いことがある。表３が示すように、より微細な分解能が必要とされる場合、１つのサブキャリアのサブバンドサイズが使用され得る（６ＲＢのために１２×６＝７２個のサブキャリアがある）。
【００８３】
表３は、好適な固定サブバンドサイズの例を示している。もちろん他の代替案があり、例えば中間的事例（例えば２ＲＢ）も可能である。
【００８４】
［ＭＴＣにおけるサブバンドＣＱＩ送信のプロシージャ］
狭帯域（ＶＣ）サブシステムを使用するＭＴＣ端末における実装形態に好適な、サブバンドＣＱＩ送信のための例示的なプロシージャは、各ＶＣサブバンド内のチャネル特性（例えば、信号強度、干渉など）の測定と、信号対干渉プラス雑音比（ＳＩＮＲ）の計算と、固定サブバンドサイズのＶＣサブバンドごとにＳＩＮＲ結果を平均化することと、場合によっては、「Ｍ番目に良い」ＶＣサブバンドＣＱＩ値を選択することと、コーディング及び変調を実行することと、選択されたサブバンドＣＱＩ値及び広帯域ＣＱＩ値のために物理リソースを割り振ることと、選択されたサブバンドＣＱＩを送信するために次のサブフレームを待つこと（周期的事例）及び／又は選択されたサブバンドＣＱＩをｅノードＢに送信すること（周期的報告事例と非周期的報告事例の両方）と、スケジューリング情報を待つこととを含む。
【００８５】
基地局におけるサブバンドＣＱＩ送信のための上記のプロシージャに対する好適で例示的なカウンターパートプロシージャは、ＣＱＩのためにサブフレームを待つこと（周期的事例のみ）と、サブバンドＣＱＩ及び広帯域ＣＱＩを受信することと、復調及びチャネル復号を実行することと、スケジューラへのＣＱＩ値及び入力を読み取ることと、送信をスケジューリングすることとを含む。送信をスケジューリングすることは、ＣＱＩ値に基づいて変調及びコーディング方式（ＭＣＳ）を選択することと、ＰＤＣＣＨ上でダウンリンク（ＤＬ）リソース割振りを示すことと、ＰＤＳＣＨ上のデータの送信と、ＵＥからＡＣＫ／ＮＡＣＫを受信することと、必要な場合（例えば、ＮＡＣＫが受信されたか又はＡＣＫ若しくはＮＡＣＫなしにタイムアウトした場合）、データを再送信することとを含む。
【００８６】
［仮想キャリアのための半静的サブバンドサイズ（実施形態２）］
別の実施形態では、好適なサブバンドサイズの判定に半静的構成が適用され得る。
【００８７】
半静的とは、サブバンドサイズが決定されると、状況が変化するまでそのサブバンドサイズが使用され続けることを意味する。例えば、スマートメーターの場合、メーター取付けにおいて値が設定され、典型的な条件の下ではその後にサイズを変更する必要がない。概して、ＭＴＣ端末が固定であるか又は移動する可能性が低い場合（例えば、スマートメーター）、サブバンドサイズは頻繁に変更される必要がない。半静的構成方法はまた、ＵＥ（必ずしもＭＴＣデバイスであるとは限らない）が据置型である場合に適している。
【００８８】
実施形態１と比較して、サブバンドサイズの半静的構成は、ＵＥとｅノードＢとの間で少なくとも１回整合される必要がある。
【００８９】
これらの状況においてサブバンドを定義する１つの単純な方法は、サブバンドサイズの直接値を有するパラメータを提供することである。これは単純であり、いかなる場合にも適応可能である。
【００９０】
サブバンドサイズのために限られた数のオプションがある場合、代替的に、表を参照してサブバンドサイズを定義することが有効であり得る。表４に、半静的事例のためのサブバンドサイズの例示的な構成を示す。設定数に応じて、サブバンドサイズｋが定義される。この事例では、サブバンドサイズの標識のためのシグナリングの数は、直接値と比較して低減され得る。
【００９１】
【表４】
0006336485.tif 000011
【００９２】
［半静的サブバンドサイズ設定のプロシージャ］
半静的設定の２つの事例が考慮される：一方はＵＥ開始型であり（ＵＥが、適切なサブバンドサイズを決定するか又は事前設定を記憶し、これをｅノードＢに示す）、他方はｅノードＢ開始型である（ｅノードＢが、あるＵＥのために適切なサブバンドサイズを決定するか又は事前設定を記憶し、これをＵＥに示す）。
【００９３】
ＵＥ開始型の事例では、手動入力に基づいて、端末が、上位レイヤを用いてｅノードＢにサブバンド構成のシグナリングを送り得る。代替的に、それはＵＥのために事前に（初期設定として）構成される。
【００９４】
サブバンドサイズは、無線伝搬条件の以下のカテゴリーから個々に又は組み合せて選択されるパラメータに基づいて設定され得る。
【００９５】
・  サイトタイプ、又はＭＴＣ  ＵＥをカバーする特性セル半径：サイトタイプの例としては、マクロセル、マイクロセル、ピコセル、フェムトセル（屋内の、消費者によって取り付けられた基地局ユニットによって提供されるものなど）が含まれる。上述したように、マクロセルはより大きい遅延拡散を受け得、より小さいサブバンドサイズが許され得る。
【００９６】
・  エリアのモフォロジ（ここでの考慮事項は、エリアが丘陵性若しくは山岳であるかどうか、それが広々とした水に近いかどうか、又は構築された環境の性質を含む）。モフォロジのタイプの例としては、密集都市、都市、近郊、及び／又は地方が含まれる。
【００９７】
・  ＵＥのモビリティタイプ（固定、遅い、中間、高い）。高モビリティ、例えば、毎時１００ｋｍで走行している車の中のＵＥは、選択的周波数フェージングを生じる局所条件が一時的であり得、広帯域ＣＱＩが適切であり得ることを意味し得るが、そのような条件下での静的ＵＥ又は遅く動いているＵＥのためには、より小さいサブバンドサイズが有用であり得る。
【００９８】
・  ＵＥタイプ（モバイルハンドセット、スマートメーター、ハブ／ゲートウェイデバイス、家庭用電気器具など）
【００９９】
・  ＵＥのロケーション（例えば、マップ参照、ＧＰＳエリア名、市名など）：（「ボールダー、コロラド」が「アマガンセット、ロングアイランド、ニューヨーク」よりも高い予想遅延プロファイルに関連付けられ得るように）ロケーションを予想遅延プロファイルに関連付ける、（グリッド参照、ＧＰＳ座標又は他の好適な方式によってインデックス付される）地理的ロケーションのデータベースが提供され得る。
【０１００】
・  直接値（例えば、遅延プロファイル、遅延拡散、システム帯域幅、送信モードなど）
【０１０１】
図３に、例示的なＵＥ開始型半静的サブバンドサイズ構成プロシージャを示す。最初に、外部保守端末３３０が、ステップＳ３２０において、半静的サブバンドサイズ値（又は値の表）の設定（及び局所記憶３１８）を可能にするようにＵＥ３０２を事前設定する。ＵＥ３０２は初期化され、ステップＳ３２２において、（そのＵＥからのＣＱＩ報告をｅノードＢが解釈することができるように）半静的サブバンド設定をｅノードＢ３０４に送る。ＵＥ３０２によって送られるサブバンド設定は、例えば無線ベアラセットアップデータを含み得る。１つの実装形態では、ＵＥ３０２はＭＴＣデバイスであり、サブバンド構成はＭＴＣサーバ３１６の制御下で送られる。ステップＳ３２４において、設定の完了が、ｅノードＢ３０４からの完了メッセージの受信によって確認される。
【０１０２】
ｅノードＢ開始型の事例では、ロケーション情報（例えばＧＰＳロケーション、地理的座標）に基づいて、ｅノードＢは、ＵＥごとに無線環境（都市、地方など）と遅延プロファイルとを推定することができる。これに基づいて、ｅノードＢは、サブバンドサイズを決定し、選択されたサブバンドサイズをＵＥに示す。
【０１０３】
図４Ａに、例示的なｅノードＢ開始型半静的サブバンドサイズ設定プロシージャを示す。ここでは、ｅノードＢ４０４が、セル状況の情報（ロケーション情報など）を取得し（Ｓ４３２）、（例えば、無線ベアラ再設定シグナリングの一部として）ＵＥ４０２に半静的サブバンド設定を送り（Ｓ４３４）、ＵＥ４０２が初期化を完了すると、ＵＥ４０２から完了メッセージを受信する（Ｓ４３６）。
【０１０４】
図４Ｂに、別の例示的なｅノードＢ開始型半静的サブバンドサイズ設定プロシージャを示す。デフォルトｅノードＢパラメータ設定を取り出すことに加えて（Ｓ４４０）、ｅノードＢ４０４’は、セル状況の情報（ロケーション情報など）を取得し（Ｓ４４２）、Ｓ４４４において、（例えば、ＭＩＢ／ＳＩＢの一部として）ＵＥ４０２’に半静的サブバンドブロードキャスト情報を送る。ＵＥ４０２’がこの情報を受信すると、ＵＥ４０２’は、Ｓ４４６においてそれ自体を構成する。この例では、ＵＥ４０２’は完了メッセージを送らない。このようにして、サブバンドサイズはデフォルトｅノードＢパラメータ設定に従って構成され得る。
【０１０５】
ＭＴＣデバイスは、採用され得るサブバンドサイズに関して限られたフレキシビリティを提供され得ることが企図される。図４Ｃに、ＵＥがケイパビリティの制限を有し得る（即ち、ＵＥケイパビリティの欠如によりサブバンドサイズの選択がフレキシブルでない）場合に好適な別の例示的なｅノードＢ開始型半静的サブバンドサイズ設定プロシージャを示す。ここでは、第１のｅノードＢ４０４”が、セル状況の情報（ロケーション情報など）を取得し（Ｓ４５０）、Ｓ４６０において（例えば、ＭＩＢ／ＳＩＢの一部として）ＵＥ４０２”に半静的サブバンドサイズ情報を送り、ＵＥ４０２”がこの情報を受信すると、ＵＥ４０２”は、Ｓ４６２において、それが許容できる（即ち、ＵＥが、ブロードキャスト情報中に示されたサブバンドサイズを使用して報告することができる）か否かを検査する。
【０１０６】
サブバンドサイズが適合しないと判定された場合、ＵＥ４０２”は別のセルへの接続を探し（即ち再選択）、プロシージャはＳ４６４において再び開始する。したがって、第２のｅノードＢ４５４が、セル状況の情報（ロケーション情報など）を取得し（Ｓ４５２）、Ｓ４６６において（例えば、ＭＩＢ／ＳＩＢの一部として）ＵＥ４０２”に第２の半静的サブバンドブロードキャスト情報を送り、ＵＥ４０２”がこの情報を受信すると、ＵＥ４０２”は、Ｓ４６８において、それが許容できる（即ち、ＵＥが、ブロードキャスト情報中に示されたサブバンドサイズを使用して報告することができる）か否かを検査する。この第２の場合、ＵＥ４０２”は、適合するサブバンドサイズを供給するｅノードＢ４５４を見つける。ＵＥ４０２”は、このセルを使用することを決定し、Ｓ４７０において、それに応じてサブバンドサイズを構成する。
【０１０７】
［仮想キャリアのための適応サブバンドサイズ（実施形態３）］
第３の実施形態では、好ましいサブバンドサイズは、典型的には時間変動する伝搬環境の特性に依存する。
【０１０８】
「遅延拡散」方法、「サブキャリアＳＩＮＲ」方法、及びＰＤＳＣＨ  Ｔｘモードに基づく方法という、３つのサブバンドサイズ選択方法が考慮される。各々は、時間変動する周囲電波伝播環境に適するように、推奨されるサブバンドサイズを適合させる。
【０１０９】
［時間領域測定（遅延拡散）に基づく方法］
「遅延拡散」方法は、測定によって遅延拡散からコヒーレンス帯域幅を直接推定する。
【０１１０】
上述したように、遅延拡散は、重み付き平均マルチパス遅延の２乗平均平方根値である。チャネル推定機能を提供する際に、ＵＥ受信機はマルチパスを見つけ、強度及び時間分散を平均化する。この値に基づいて、コヒーレンス帯域幅が計算され、推測されるフェージング条件（即ち、フラットフェージングがあるのか周波数選択性フェージングがあるのか）に応じて好適なサブバンドサイズが選択される。
【０１１１】
ＵＥは、ｅノードＢからのリファレンス信号に基づいてチャネル推定及び同期を実行し、各チャネルの周波数応答がチャネル推定によって取得され、次いで周波数領域から時間領域に変換される。
【０１１２】
時間領域信号において、タイミングと電力との各マルチパスが取得される。それらを平均化することによって、遅延拡散が計算され得る。
【０１１３】
遅延プロファイルからのサブバンドサイズ選択のステップは以下を含む。
【０１１４】
・  チャネル推定：これにおいて、チャネル係数が取得される（周波数応答）
【０１１５】
・  逆高速フーリエ変換（ＩＦＦＴ）、これにおいて、チャネル係数が周波数領域から時間領域に変換される
【０１１６】
・  計算；マルチパス遅延の重み付き平均
【０１１７】
【数７】
0006336485.tif 000012
【０１１８】
ただし、
【表５】
0006336485.tif 000013
【０１１９】
・  遅延拡散を計算する
【０１２０】
Ｄｓｐｒｅａｄ＝標準偏差（平均遅延）
【０１２１】
・  コヒーレンス帯域幅を計算する
【０１２２】
【数８】
0006336485.tif 000014
【０１２３】
・  ＩＦ  （コヒーレンス帯域幅＜現在のサブバンドサイズ）  ＴＨＥＮ  より小さいサブバンドサイズを選択する
【０１２４】
・  ＩＦ  （コヒーレンス帯域幅＞現在のサブバンドサイズ）  ＴＨＥＮ  より大きいサブバンドサイズを選択する
【０１２５】
・  ＥＬＳＥ  ＩＦ  （コヒーレンス帯域幅≒現在のサブバンドサイズ）  ＴＨＥＮ  現在のサブバンドサイズを保持する。
【０１２６】
・  好ましいサブバンドサイズをｅノードＢに示す。適応サブバンドサイズ変更をシグナリングするための技法については以下で論じる。
【０１２７】
［周波数領域測定（サブキャリアＳＩＮＲ）に基づく方法］
第２のサブバンドサイズ選択方法は、各サブキャリアの周波数領域の測定値を使用する。この方法は、信号対干渉プラス雑音比（ＳＩＮＲ）測定に基づき、各サブキャリア（又は各ＲＢ）のＳＩＮＲの変動を評価し、本質的に、この方法は、以下を判定することによってサブバンドサイズを判定する。
【０１２８】
ＩＦ  （サブバンド間の平均ＳＩＮＲの差［５１０，５１２］＞しきい値Ｘ）、ＴＨＥＮ  異なるサブバンドが割り振られる。
【０１２９】
サブキャリアＳＩＮＲに基づくサブバンドサイズ変更が、図５に示されている。各連続サブバンド（例えば、サブバンド３、５０３）について、平均ＳＩＮＲが、平均ＳＩＮＲの前の値（この例では、サブバンド２、５０２）と比較され、差５１２がしきい値差Ｘを超える場合、サブバンドサイズ選択プロシージャをトリガする。
【０１３０】
サブキャリアＳＩＮＲからのサブバンドサイズ選択のステップは以下を含む。
・  周波数領域（即ち、各サブキャリア／ＲＢ）についてのＳＩＮＲの測定
・  暫定サブバンドサイズＸ＝２を仮定する
・  サブバンドサイズ探索（以下で説明する）
・  好ましいサブバンドサイズをｅノードＢに示す。同じく、適応サブバンドサイズ変更をシグナリングするための技法については以下で論じる。
【０１３１】
［サブバンドサイズ探索プロシージャ］
チャネル品質の小さい変動のためには、好ましくは大きいサブバンドサイズが選択されるべきであるが、チャネル品質の大きい変動のためには狭いサブバンドサイズが選択されるべきである。
【０１３２】
サブバンド探索プロシージャは、図６に示されているように、サブバンドサイズ選択のために「計算ウィンドウ」を導入する。ウィンドウ中のＳＩＮＲ測定値についてチャネル品質の標準偏差が計算される。チャネル品質の標準偏差はウィンドウ中のＣＱＩ変動の程度を示す。
【０１３３】
標準偏差が、予め定義されるしきい値σｔｈを下回る場合、ウィンドウ中のチャネル品質はフラットであり得、サブバンドサイズは不変のままにされる。
【０１３４】
標準偏差が、定義されるしきい値を上回る場合、これは、ウィンドウ中のチャネル品質がフラットでなかったことを示し得る。（図６の「ステージ２」中のより短い「ウィンドウ」として示される）次のステージでは、漸進的により狭いサブバンドサイズが試みられる。
【０１３５】
サブバンドサイズ探索のステップは以下を含む。
【０１３６】
１．  初期計算ウィンドウサイズ（サブバンドサイズ）を定義する
２．  計算開始
３．  開始位置と終了位置（開始位置＋サブバンドサイズ）との間に計算ウィンドウを設定する
○  ＣＱＩの標準偏差を計算する
○  標準偏差を記憶する
○  ウィンドウ開始位置を（周波数において）１つのＲＢだけより高くシフトする
○  終了位置（即ち帯域エッジ）に達するまで繰り返す
４．  記憶された標準偏差値のうちのしきい値（例えば、トレランスが±２である場合、しきい値は１．４１４である）を下回る値を探索する。
５．  サブバンドサイズ及び（開始位置と終了位置との間の）範囲を選択する
６．  ステージ２開始（残りの部分のための新しいサブバンドサイズ）
７．  新しい計算ウィンドウサイズ（前のサイズ−１ＲＢ）を設定する
○  ２〜５を繰り返す
○  サブバンドサイズ＝１ＲＢである場合は終了し、それ以外の場合は７に進む
【０１３７】
サブバンドの得られた範囲は、図２１Ｂに示されているようにより局所的なフェージング特性に適合されたサブバンドサイズを有する。
【０１３８】
上記でプロシージャから抜ける［即ち「終了」］のではなく、いくつかの実施形態ではプロシージャは次の周波数範囲に移る。周波数選択性フェージングがフラットであるシステム帯域幅、又はシステム帯域幅内の帯域幅の範囲では、サブバンドサイズは同じままでいるか又は増加することを可能にされ得、逆に、周波数選択性フェージングがより深いシステム帯域幅、又はシステム帯域幅内の帯域幅の範囲では、そのシステム帯域幅又は帯域幅の範囲中のサブバンドサイズは漸進的に低減される。
【０１３９】
［ＰＤＳＣＨ  Ｔｘモードに基づく方法］
第３のサブバンドサイズ選択方法は、ダウンリンクにおいて使用されているＰＤＳＣＨ送信（Ｔｘ）モードから適切なサブバンドサイズを推測する。
【０１４０】
フェージングを克服するための多くのダイバーシティ技法がある。マルチアンテナ技法が特に有効であることが証明されており、これらは別個のＴｘモードとして表される。
【０１４１】
例えば、Ｔｘダイバーシティ（ＳＦＢＣ）であるＰＤＳＣＨ  Ｔｘモード２の場合、広帯域ＣＱＩが適用され得る。一方、単一ポートであるＴｘモード１の場合、サブバンドＣＱＩが適用される。
【０１４２】
デュアルレイヤビームフォーミングである、ＰＤＳＣＨ  Ｔｘモード９の場合における別の例では、ビームフォーミングがフェージングを防ぎ得るので、広帯域ＣＱＩが適用される。
【０１４３】
ＰＤＳＣＨ  Ｔｘモードに応じて、サブバンドサイズを自動的に選択することが可能である。これは、（選択されたサイズは明示的にシグナリングされることなしに推測されるので）いわゆる暗黙的シグナリングである。
【０１４４】
［ＣＱＩ送信方法］
サブバンドサイズが上記で説明した本発明の実施形態のうちのいずれか１つに従って判定されると、得られたサブバンドＣＱＩは、ｅノードＢに効率的に送信される必要がある。ＣＱＩ送信は、サブバンドごとの直接送信を含む各種の方法を使用して達成され得る（ここで、各サブバンドＣＱＩを直接送信すること、又は広帯域ＣＱＩに対する差分値としてサブバンドＣＱＩを送信するという、上記で論じたＣＱＩを送信するための技法の各々が採用され得る）。いくつかの状況では、サブバンドＣＱＩは、時分割ＣＱＩ報告と呼ばれる技法で、異なる時間に送信され得る。選択されたサブバンドＣＱＩを送信するために、「Ｍ番目に良い」技法も採用され得る。さらに、条件が適切である場合、いかなるＣＱＩをも送信することが不要であり得、その条件はｅノードＢによって適切に定義され得る。
【０１４５】
［直接送信］
ＣＱＩ送信の最良の方法は、シグナリング負荷が許容される場合、同じタイミングにおいてすべてのサブバンドＣＱＩ値を送信することである。これは図７に示されている。例えば、（微細分解能における）サブバンドＣＱＩが４ビットを使用し、帯域幅が（６つのサブバンド７０４−１、．．．７０４−６を与える）６ＲＢに設定された場合、総シグナリング負荷７０２は４×６＝２４ビットである。
【０１４６】
ＲＥＬ８では、広帯域ＣＱＩのみが４ビット分解能で使用され得るが、狭帯域（例えばＶＣ）では、この直接方法からのシグナリング負荷が許容可能であり得る。
【０１４７】
しかしながら、サブバンドの数が大きい場合、シグナリング負荷は許容レベルを超えて増加し得る。（上記で説明した）差分ＣＱＩ方法はこの場合のために適用され得る。したがって、４ビットの広帯域ＣＱＩ及び６つの２ビットサブバンド差分値（２ｘ６＝１２ビット）では、送信されるビットの総数＝４＋１２＝１６ビットである。
【０１４８】
サブバンド（又はサブバンドサイズ）の数に応じて、直接送信及び差分送信が交換され得る。
【０１４９】
［時分割送信］
代替方法は、異なるタイムスロット（時間＝１、時間＝２など）においてそれぞれのサブバンドＣＱＩ値８０４、８０４’を送信することである。これは図８に示されている。
【０１５０】
ＭＴＣ端末は固定であり得（例えばスマートメーター）、その場合、値の変動は、時間とともに著しく変化しないことがある。その場合、時分割ＣＱＩ送信は有害な影響なしに使用され得る。これは一度にサブバンドＣＱＩごとに例えば４ビットのシグナリング負荷８０２、８０２’を生じ得るので、これは、シグナリング負荷を低減し、アップリンク干渉を回避するのに役立つ。
【０１５１】
［選択されたサブバンド送信］
サブバンドＣＱＩが平均値９１０に近い場合、あらゆるサブバンドＣＱＩを送る必要はないことがある。選択されたサブバンド送信方法では、サブバンドＣＱＩ値が一定の範囲内にとどまるという条件で、ＣＱＩ送信は省略される。これは図９に示されている。例示的な方式は以下のステップを含み得る。
・  （システム帯域幅にわたって平均化された）広帯域ＣＱＩ９１０を取得する
・  上側境界９０２＝広帯域＋しきい値Ｘを定義する（又は直接シグナリング）
・  下側境界９０４＝広帯域−しきい値Ｘを定義する（又は直接シグナリング）
・  各サブバンドＣＱＩ値を取得する
・  ＩＦ  サブバンドＣＱＩ＞上側境界  ＴＨＥＮ  サブバンドＣＱＩを送信する（図示せず）
・  ＩＦ  サブバンドＣＱＩ＜下側境界  ＴＨＥＮ  サブバンドＣＱＩを送信する（９０６）
【０１５２】
［適応サブバンド変化のシグナリング］
サブバンドサイズ変更のために２種類のシグナリングがある：速く変化する場合にはＬ１シグナリングが使用され得、遅く変化する場合にはＲＲＣが使用され得る。
【０１５３】
・  Ｌ１シグナリング（速い）
・  すべてのサブバンド
・  選択されたサブバンド
・  可変サブバンドサイズ
【０１５４】
・  ＲＲＣシグナリング（遅い）
・  ＵＥ開始型
・  ｅノードＢ開始型
・  アプリケーション（ＭＴＣサーバ）開始型
【０１５５】
［サブバンドサイズ変更のＬ１シグナリング］
サブバンドサイズが急速に変更される場合、シグナリングの最良の方法は物理レイヤ（レイヤ１）を使用することである。これはＬ１シグナリングと呼ばれる。無線フレームの各サブフレームの一部分はＬ１シグナリングの送信に専用である。
【０１５６】
図１０において、ＵＥ１００２からｅノードＢ１００４にサブバンドサイズ変更を周期的及び／又は非周期的に送信するためにＬ１シグナリングが使用される（Ｓ１０２０、Ｓ１０２０、Ｓ１０３０）。Ｌ１シグナリングは、すべてのサブバンドのために、サブバンドの選択のために、又はサブバンドサイズがサブバンドの異なるグループについて変化することを可能にしさえするために、サブバンドサイズの変更に様々に関係し得る。
【０１５７】
図１１Ａに示された、すべてのサブバンドの場合、サブバンドサイズ変更はすべてのサブバンドに等しく関係する。サブバンドサイズが固定又は半静的であり、サブバンドＣＱＩがすべてのサブバンド部分について報告される場合、送信される必要がある唯一の情報はサブバンドＣＱＩ１１０２、１１０４、１１０６であることに留意されたい。固定又は半静的サブバンドサイズでは、サブバンドサイズのシグナリングはまったく含まれる必要がない。
【０１５８】
図１１Ｂに示された、選択されたサブバンドの場合、サブバンドサイズ変更は、選択されたサブバンドについて送信される。サブバンドサイズが固定又は半静的であり、選択されたサブバンドのみが送信される場合、選択されたサブバンド番号１１１２、１１１６と、選択されたサブバンドにおけるＣＱＩの値１１１４、１１１８の両方が送信されなければならない。
【０１５９】
図１１Ｃに示された可変サブバンドサイズの場合、ＣＱＩ送信は、報告されるそれぞれのサブバンドＣＱＩの各々についてサブバンドサイズの各々を搬送する必要がある。サブバンドサイズが動的に変更され、選択されたサブバンドＣＱＩが送信される場合、選択されたサブバンド番号１１２２、１１３２と、選択されたサブバンドのための対応するサイズ１１２４、１１３４と、選択されたサブバンドにおけるＣＱＩの値１１２６、１１３６とがそれぞれ送信されなければならない。明らかに、この最後の技法は、先行する技法よりもかなり大きいシグナリングペイロードを必要とすることになる。
【０１６０】
図２１Ｂは、システム帯域幅内の帯域幅の異なる範囲にわたって可変サブバンドサイズを示している。したがって、サブバンド２１１０及び２１１２についてサブバンドＣＱＩ値がシグナリングされるべきである場合、それぞれのサブバンドの位置と、それらの対応するサイズとがＣＱＩ値自体とともに報告されることになる。
【０１６１】
［サブバンドサイズ変更のＲＲＣシグナリング］
［ＵＥ開始型ＲＲＣシグナリング］
図１２に示されたＵＥ開始型の場合、ＵＥ１２０２は、サブバンドの好ましいサイズを測定及び決定し、これをｅノードＢ１２０４に要求する。シグナリングはＲＲＣ（例えば測定報告）を介し、以下のステップを含む。ＵＥ１２０２における測定（Ｓ１２１０）、サブバンドサイズの選択（Ｓ１２１２）、サブバンドサイズの変更要求の送信（Ｓ１２１４）、サブバンドサイズ設定の受信（Ｓ１２１６）、及び場合によっては「再設定完了」メッセージの送信（Ｓ１２１８）。
【０１６２】
［ＲＲＣシグナリング／ｅノードＢ開始型］
図１３に示されたｅノードＢ開始型の場合、ＵＥ１３０２がサブバンドＣＱＩを報告し、ｅノードＢ１３０４がその値を記憶する。このｅノードＢはスケジューラ１３５０を含み、スケジューラ１３５０は、どの変調及びコーディング方式（ＭＣＳ）を適用すべきかを決定し、ＵＥ１３０２にダウンリンクパケットを送る。
【０１６３】
ｅノードＢにおけるスケジューラ１３５０は、ＡＣＫ／ＮＡＣＫを介してこれらのダウンロードパケットの復号の成功（又はそれ以外）の標識を受信する（Ｓ１３１８）。これらに基づいて、スケジューラ１３５０は好ましいサブバンドサイズを決定する。
【０１６４】
ＲＲＣ（例えば、物理チャネル再構成、ＣＱＩ報告構成）を介して、ｅノードＢ１３０４は、サブバンドサイズを好ましいサイズに再設定するようにＵＥ１３０２に命令する。完了すると、ＵＥ１３０２は再設定完了メッセージを送る。シグナリングは以下のように進行する。ｅノードＢがＵＥからＣＱＩ値を受信する（Ｓ１３１０）。これらのＣＱＩ値が、スケジューラ１３５０によるスケジューリングにおいて使用される（Ｓ１３１２）。スケジューラによってＣＱＩ値に従ってダウンリンク送信がスケジューリングされ（Ｓ１３１６）、それに対して肯定応答が受信される（Ｓ１３１８）。スケジューラが、サブバンドサイズが変更されるべきであると決定した場合（Ｓ１３１４）、ＵＥへのサイズ設定メッセージにおいてサブバンドサイズ変更が命令される（Ｓ１３２０）。より速い変更が必要とされる場合、ＭＡＣヘッダシグナリングも適用可能である。そしてｅノードＢは、場合によってはＵＥから再設定完了メッセージを受信する（Ｓ１３２２）。
【０１６５】
［ＲＲＣシグナリング／アプリケーション（ＭＴＣサーバ）開始型］
関連する専用のＭＴＣサーバ１４１６を有するＭＴＣデバイスに好適な代替技法は、ＭＴＣサーバ１４１６が、１つ以上の又は実際すべての接続されたＭＴＣデバイスにおいてサブバンドサイズ変更を開始することを可能にすることである。典型的なプロシージャは、ステップＳ１４１０において、ＭＴＣサーバ１４１６から１つ以上のＭＴＣデバイス１４０２に設定メッセージを送ることと、ステップＳ１４２０において、ＭＴＣデバイス１４０２からｅノードＢ１４０４にサブバンドサイズ変更設定を送ることと、ステップＳ１４３０において、場合によってはｅノードＢ１４０４から「設定完了」メッセージを受信することとを伴う。
【０１６６】
次に、本発明の実施形態が適切に実装され得る、ＵＥとｅノードＢとの主要な機能構成要素についてのより詳細な説明を続ける。説明全体にわたって、ＢＢはベースバンドを指し、ＲＦは無線周波数を指す。
【０１６７】
［ハードウェア］
［ＵＥ（端末）機能ブロック］
図１５に示されているように、典型的な端末は、
無線信号を送信及び／又は受信する、アンテナ配置１５０１、
アップリンクＲＦとダウンリンクＲＦとを分離するためのフィルタ（ＦＤＤ）であって、ＴＤＤの場合、デュプレクサは単に、（アップリンクタイムスロットとダウンリンクタイムスロットとを切り替える）ＲＦスイッチである、デュプレクサ１５０２、
アンテナ１５０１からの受信信号を増幅する、低雑音増幅器（ＬＮＡ）１５０３、
典型的には直交復調（Ｉ／Ｑ出力）を使用して、ＲＦ信号をベースバンド（ＢＢ）信号に変換し、好適なダウンコンバージョンを行うために、様々な受信機アーキテクチャ、例えば直接変換、スーパーヘテロダインなどが採用され得る、ダウンコンバータ１５０４、
復調器と、ＡＦＣ（自動周波数制御）による周波数の変動をトラッキングすることとのためのクロックを再生成し、変調クロックのためにも使用される、局部発振器（ＬＯ）１５０５、
アナログ信号をデジタル信号に変換する、アナログデジタルコンバータ（Ａ／Ｄ）１５０６、
デジタル信号をアナログ信号に変換する、デジタルアナログコンバータ（Ｄ／Ａ）１５０７、
ＢＢ信号をＲＦに変換、典型的には（Ｉ／Ｑ  ＢＢ入力からＲＦへの）直交変調する、アップコンバータ１５０８、
変調器からのＲＦ信号を、必要とされる送信電力に増幅する、電力増幅器（ＰＡ）又は大電力増幅器１５０９、
ベースバンド処理機能を提供する、ベースバンド回路１５１０（詳細は以下で示す、図１６参照）、
レイヤ２／３／コアネットワーク／ＴＣＰ関連プロトコルの処理を実行し、３ＧＰＰにおける典型的なプロトコルは、ＭＡＣ、ＲＬＣ、ＰＤＣＰ、ＲＲＣ、及びＣＮである、プロトコル回路１５１１、
音声コーデック、ウェブブラウジングなどを含む、様々なアプリケーションを提供するアプリケーション機能ユニット１５１２、並びに、
随意の追加のユニット１５１３、例としては、アーキテクチャ又は実装形態に応じて、必要な場合にブロック間に挿入され得るＢＰＦ（バンドパスフィルタ）が含まれる、及び／又はＩＦフィルタ
を備える。
【０１６８】
［ＵＥベースバンド機能ブロック］
図１６に示された端末ベースバンド１５１０は、以下の機能ブロックを備える。
即ち、同期ユニットからフレームタイミングのヘッドを取得し、それからサイクリックプレフィックスを削除する、ＣＰ（サイクリックプレフィックス）削除ユニット１６０１、
時間領域信号を周波数領域信号に変換する、ＦＦＴ（高速フーリエ変換）ユニット１６０２、
チャネルによって作用された信号が復元され、チャネル推定ユニットによって提供されるチャネルの周波数応答に基づいて、フィルタ処理が実行される、等化器ユニット１６０３、
チャネルデマッピング及びデインターリーブ、誤り訂正など、チャネル復号処理を実行するための、チャネル復号ユニット１６０４、
リファレンス信号、同期信号に基づいて時間及び周波数同期を（並びに端末が移動する場合、周波数トラッキングを）実行する、同期／トラッキングユニット１６０５、
リファレンス信号に基づいて、電波伝播のチャネルが推定される、チャネル推定ユニット１６０６、
干渉／信号強度測定機能を（時にはＲＦ機能を）実行する、測定ユニット１６０７、
リファレンス信号における信号強度が測定され、測定ユニットから干渉が取得された場合、ＳＩＮＲ処理ユニットは、これらの値に基づいてＳＩＮＲ（信号対雑音＋干渉比）を計算する、ＳＩＮＲ（信号対干渉雑音比）処理ユニット１６０８、
遅延プロファイルを判定するためにチャネル推定値がアグリゲートされる、遅延プロファイル計算ユニット１６０９、
ｅノードＢ指示に基づいて、ＰＤＳＣＨモードが選択される、ＰＤＳＣＨ送信（Ｔｘ）モード選択１６１０、
上記で説明したサブバンドサイズ選択方法、即ち、静的テーブルルックアップ、半静的サイズ選択、ＳＩＮＲ、又はチャネル条件（例えば遅延プロファイル、ＰＤＳＣＨ  Ｔｘモードなど）のうちの１つ以上に基づいて、好適なサブバンドサイズが選択され、選択されたサブバンドサイズは、ＵＥからのＣＱＩシグナリングにおいて使用する推奨サブバンドサイズとして出力される、サブバンドサイズセレクタ１６１１、
現在のダウンリンクチャネル品質に基づいて好ましいＭＣＳを選択する、ＭＣＳ（変調及びコーディング方式）選択ユニット１６１２、
ＣＱＩ符号化ユニット１６１３、
インジケータ（例えばＣＱＩ）を多重化する、リソース中にチャネルを符号化するための、チャネル符号化ユニット１６１４、
時間領域信号を周波数領域信号に変換する、ＦＦＴ（高速フーリエ変換）ユニット１６１５、
スケジューラの許可標識に基づいて送信されるべきサブキャリアのマッピングを実行するための、サブキャリアマッピングユニット１６１６、
周波数領域信号を時間領域信号に変換する、ＩＦＦＴ（逆高速フーリエ変換）１６１７、並びに
アップリンク送信のための準備において、フレームのヘッドにサイクリックプレフィックスを挿入する、ＣＰ（サイクリックプレフィックス）追加ユニット１６１８である。
【０１６９】
実装形態に応じて、ＯＦＤＭ信号生成／再生成のために挿入され得る、Ｓ／Ｐ（直列並列）、Ｐ／Ｓ（並列直列）変換機能など、他の機能ブロックが提供され得る。
【０１７０】
［ｅノードＢ（基地局）機能ブロック］
図１７に示されているように、典型的な基地局（ｅノードＢ）は、
無線信号を送信及び受信し、典型的には、ダイバーシティ／ＭＩＭＯ送信のために２つ以上のアンテナ要素が設けられる、アンテナ配置１７０１、
アップリンクＲＦとダウンリンクＲＦとの間（ＦＤＤ）で又は周波数帯域間（例えば、８００ＭＨｚ、２．１ＧＨｚ）でＲＦを分離する、ＲＦフィルタ１７０２、
アンテナからの受信信号を増幅する、ＬＮＡ（低雑音増幅器）１７０３、
必要に応じてＢＢからＲＦにアップコンバートするし、ＲＦからＢＢにダウンコンバートする、ＲＦ送受信機１７０４、
チャネルコーディング／デコーディング、変調／復調、チャネル推定、等化などのベースバンド機能を提供する、ベースバンド回路１７０５（以下の図１８の説明でより詳細に論じる）、
ＣＱＩ報告と内部リソース（電力、バッファステータス、干渉など）の測定値とに基づいてＵＥのためのダウンリンクデータ／アップリンクデータをスケジューリングするための、スケジューラ１７０６、
レイヤ２／３／コアネットワーク／ＴＣＰ関連プロトコルの処理を実行するためのものであって、３ＧＰＰにおける典型的なプロトコルは、ＭＡＣ（メディアアクセス制御）、ＲＬＣ（無線リンク制御）、ＰＤＣＰ（パケットデータ圧縮プロトコル）、及びＲＲＣ（無線リソース制御）である、プロトコル回路１７０７、
Ｓ１（コアネットワークから／への）及びＸ２（他のｅノードＢから／への）など、外部ノードへのインターフェースを提供する、外部インターフェース１７０８、
ロケーション情報を取得し、これは随意の機能であって、例えば、ＧＰＳ全地球測位システム又は別のロケーション測定である、ロケーション情報回路１７０９、
ＲＦ送受信機からのＲＦ信号を、必要とされる送信電力に増幅する、ＰＡ（電力増幅器又は大電力増幅器）１７１０
を備える。
【０１７１】
これらは論理機能であることに留意されたい。それらは時々、物理的に分離された装置において提供される。例えば、ＲＲＨ（無線リモートヘッダ）は、主要な基地局からＲＦ機能を分離し、主要な基地局からある距離の別のロケーションにそれを設置し得る。
【０１７２】
アンテナ配置１７０１は、通常マスト／タワー又は屋根の上部にあり、フィーダと接続される。
【０１７３】
ベースバンド１７０５、スケジューリング１７０６及びプロトコル１７０７機能は１つのキャビネット中に設置され得、残りの機能は基地局の外側に設置され得る。
【０１７４】
［ｅノードＢベースバンド機能ブロック］
図１８に示された基地局ベースバンドは、
同期ユニットからフレームのヘッドを識別し、それからサイクリックプレフィックスを削除する、ＣＰ（サイクリックプレフィックス）削除ユニット１８０１、
時間領域信号を周波数領域信号に変換する、ＦＦＴ（高速フーリエ変換）ユニット１８０２、
チャネルによって作用された信号が復元される（振幅及び位相）、等化器ユニット１８０３、
周波数領域信号を時間領域信号に変換する、ＩＦＦＴ（逆高速フーリエ変換）ユニット１８０４、
ＯＦＤＭ信号生成のための変換機能を提供する、Ｐ／Ｓ（並列直列）変換ユニット１８１１、
デマッピング及びデインターリーブ、誤り訂正などのようなチャネル復号を実行する、チャネル復号ユニット１８０５、
制御信号と復号ＣＱＩとを多重分離する、ＣＱＩ復号ユニット１８０６、
サブバンドチャネル品質値を取得し、それらをスケジューラに出力する、サブバンドチャネル品質ユニット１８０７、
スケジューラからの出力スケジュールを送出する、サブバンドスケジューリングユニット１８０８、
サブバンドの現在のＣＱＩに基づいてＭＣＳを選択する、ＭＣＳ（変調及びコーディング方式）選択ユニット１８０９、
インジケータ（例えばＣＱＩ）を含む、リソース中にチャネルを符号化するための、チャネル符号化ユニット１８１０、
リソース割振りのスケジューラの標識に基づいて送信されるべきサブキャリアをマッピングする、サブキャリアマッピングユニット１８１２、
周波数領域信号を時間領域信号に変換するための、ＩＦＦＴ（逆高速フーリエ変換）ユニット１８１３、
ダウンリンク送信のための準備においてフレームのヘッドにサイクリックプレフィックスを挿入する、ＣＰ（サイクリックプレフィックス）追加ユニット１８１４、
リファレンス信号、同期信号などに基づいて時間及び周波数同期を（並びに端末が移動する場合、周波数トラッキングを）行う、同期／トラッキング／タイミングアドバンスモジュール１８１５、
リファレンス信号に基づいて、電波伝播のチャネルを推定する、チャネル推定モジュール１８１６、
干渉／信号強度測定機能が（時にはＲＦ機能が）実行される、測定ユニット１８１７、
干渉測定機能を（時にはＲＦ機能を）実行する、ＳＩＮＲ（信号対干渉比）ユニット１８１８、並びに
ｅノードＢ指示に基づいてＰＤＳＣＨモードを選択する、ＰＤＳＣＨ送信モード選択ユニット１８１９
を備える。
【０１７５】
他の機能ブロックが提供され得、したがって、ＯＦＤＭ信号生成のためにＳ／Ｐ（直列並列）変換機能が挿入される。
【０１７６】
［ネットワーク構造］
図１に関して手短に論じたように、ＬＴＥ／ＳＡＥネットワークはいくつかの必須構成要素を有する。多くのＭＴＣアプリケーションでは、さらなる機能エンティティが必要とされる。ＭＴＣネットワークシステムは以下を備え得る。
【０１７７】
ＭＴＣ端末１０２  −  ＭＴＣ機能を有するＵＥ。
【０１７８】
ｅノードＢ／ｅＮＢ１０４  −  ＭＴＣデバイスと非ＭＴＣデバイスの両方のための基地局、これはＬＴＥ（ホストキャリア）の機能でもある。
【０１７９】
サービングゲートウェイ（Ｓ−ＧＷ）１１２  −  ＬＴＥ／ＳＡＥのユーザプレーン機能、パケットルーティング及びフォワーディング、モビリティアンカリングを提供するためのものであり、これはコアネットワーク（非アクセス下層（ＮＡＳ））エンティティと無線アクセスネットワーク（ＲＡＮ）との間のゲートウェイである。
【０１８０】
ＰＤＮ（パケットデータネットワーク）ゲートウェイ（Ｐ−ＧＷ）１１４  −  ＵＥ  ＩＰアドレス割振り、パケットフィルタリング、ＥＰＳベアラ構成など、ＬＴＥ／ＳＡＥのユーザプレーン機能を提供するためのものである。これはコアネットワークとパケットデータネットワーク（例えば外部３ＧＰＰネットワーク、他のインターネットワーク）との間のゲートウェイである。
【０１８１】
ＭＭＥ（モビリティ管理エンティティ）１０６  −  ＮＡＳシグナリング、セキュリティ、アイドルモードＵＥ到達可能性、ＰＤＮ  ＧＷ及びサービングＧＷ選択など、ＬＴＥ／ＳＡＥの制御プレーン機能を提供するためのものである。
【０１８２】
ＨＳＳ（ホーム加入者サーバ）１０８  −  ユーザ識別子、キー、接続されたＰ−ＧＷ、（ＵＥがネットワークのカバレージと一緒に位置することを可能にする）トラッキングエリア情報などの情報を含む加入者のデータベース。
【０１８３】
ＭＴＣ（マシンタイプ通信）サーバ１１６  −  ＭＴＣ機能のサーバ。
【０１８４】
ＭＴＣゲートウェイ１２０（随意）、これは３ＧＰＰ／ＬＴＥ  ＭＴＣ端末と非ＬＴＥ  ＭＴＣ端末との間のゲートウェイ（例えばＬＴＥからＺｉｇｂｅｅ（登録商標）へのインターフェース）を表す。このゲートウェイは、Ｍ２Ｍサービスケイパビリティを使用してＭ２Ｍアプリケーションを実行する。このゲートウェイは、Ｍ２Ｍデバイスとネットワークドメインとの間のプロキシとして働く。Ｍ２Ｍゲートウェイは、ネットワークドメインから隠された、Ｍ２Ｍゲートウェイに接続された他のデバイス（例えばレガシー）にサービスを提供し得る。一例として、Ｍ２Ｍゲートウェイは、（例えばセンサー及びコンテキストパラメータから）様々な情報を収集し及び取り扱うアプリケーションを実行し得る。［ＥＴＳＩ  ＴＳ．１０２．  ６９０  Ｖ１．１．１が、ＭＴＣゲートウェイの機能についてのさらなる詳細を与える。］
【０１８５】
［プロトコル構造］
ＬＴＥ／ＳＡＥ／ＭＴＣプロトコルスタックが図１９に示されている。このプロトコルスタックは以下を備える。
【０１８６】
１．  変調／復調、チャネルコーディング／でコーディングのようなＬ１（レイヤ１）物理レイヤ処理。
２．  ＭＡＣ（メディアアクセス制御）ハイブリッドＡＲＱ、スケジューリング（ｅノードＢ）
３．  ＲＬＣ（無線リンク制御）ＡＲＱ再送信。
４．  ＰＤＣＰ（パケットデータコンバージェンスプロトコル）パケットヘッダ低減／復元。
５．  無線リソースのシグナリングを制御するＲＲＣ（無線リソース制御）。
これらは無線アクセスネットワーク（ＲＡＮ）の一部である。
６．  ＣＮ（コアネットワーク）。モビリティ管理、トンネリングプロトコル、セッション管理、ベアラ管理、ＱｏＳ、セキュリティ機能などのコアネットワーク機能。
７．  ＭＴＣアプリケーション。ＭＴＣ機能のためのアプリケーション。
【０１８７】
ＵＥ１９０２と、ＭＴＣゲートウェイ１９２０など、ネットワーク中の他の端末とは、同じ基本プロトコルスタック：物理（Ｌ１／ＰＨＹ）、ＭＡＣ、ＲＬＣ、ＰＤＣＰ及びＲＲＣを共有する。端末１９０２、１９２０は、コアネットワークプロトコルを、典型的にはインターネットプロトコル（ＩＰ）をコアネットワーク１９１０と共有する。ＭＴＣデバイス／ゲートウェイ１９０２／１９２０とＭＴＣサーバ１９１６との間の通信を可能にするために（ＭＴＣアプリケーションレイヤと呼ばれる）さらなるプロトコルレイヤが提供される。
【０１８８】
［ＭＴＣの特徴］
上述のように、第３世代及び第４世代ネットワークの予期される広範囲の展開は、利用可能な高データレートを利用するのではなく、代わりにロバストな無線インターフェースと、カバレージエリアの増加する遍在性とを利用する、あるクラスのデバイス及びアプリケーションの並列開発につながった。デバイス及びアプリケーションのこの並列クラスは、ＭＴＣデバイスと、半自律的な又は自律的なワイヤレス通信デバイスが典型的には比較的低頻度に少量のデータを通信するいわゆるマシンツーマシン（Ｍ２Ｍ）アプリケーションとを含む。
【０１８９】
ＭＴＣ（及びＭ２Ｍ）デバイスの例としては、例えば、顧客の家屋中に配置され、ガス、水道、電気などの公益事業の顧客消費量に関係するデータを、中央ＭＴＣサーバに周期的に情報を返信する、いわゆるスマートメーターと、輸送及びロジスティックストラッキング、道路通行料金及び監視システムなどの「トラック及びトレース」アプリケーションと、ＭＴＣ対応センサー、照明、診断などを用いた遠隔保守及び制御システムと、環境監視と、ポイントオブセール支払いシステム及び自動販売機と、セキュリティシステムとなどが含まれる。
【０１９０】
ＭＴＣタイプデバイスの特性に関するさらなる情報と、ＭＴＣデバイスがそれに適用され得るアプリケーションのさらなる例とは、例えば、ＥＴＳＩ  ＴＳ  １２２  ３６８  Ｖ１０．５３０  （２０１１−０７）  ／  ３ＧＰＰ  ＴＳ  ２２．３６８  バージョン１０．５．０  リリース１０）  ［１］などの対応する規格において見つけられ得る。
【０１９１】
ＭＴＣタイプ端末などの端末が、第３世代又は第４世代モバイル電気通信ネットワークによって提供される広いカバレージエリアを利用することが好都合であり得るが、現在、成功した展開に対する欠点及び課題がある。スマートフォンなどの従来の第３世代又は第４世代端末デバイスとは異なり、ＭＴＣタイプ端末は、好ましくは比較的単純で安価である。さらに、ＭＴＣデバイスはしばしば、直接保守又は交換のための容易なアクセスを供さない状況において展開される。信頼できて効率的な稼働は重要であり得る。さらに、ＭＴＣタイプ端末によって実行される機能のタイプ（例えば、データを収集し及び返報すること）は、実行するために特に複雑な処理を必要としないが、第３世代及び第４世代モバイル電気通信ネットワークは、典型的には、無線インターフェース上で（１６ＱＡＭ又は６４ＱＡＭなどの）高度なデータ変調技法を採用し、それにより、実装するためにより複雑で高価な無線送受信機が必要になり得る。
【０１９２】
ＭＴＣデバイスなどの低ケイパビリティ端末に適合された「仮想キャリア」は、したがって、従来のＯＦＤＭタイプダウンリンクキャリア（即ち「ホストキャリア」）の送信リソース内に提供される。従来のＯＦＤＭタイプダウンリンクキャリア上で送信されるデータとは異なり、仮想キャリア上で送信されるデータは、サブフレームの少なくともある部分のために、ダウンリンクホストＯＦＤＭキャリアの全帯域幅を処理する必要なしに、受信され及び復号され得る。したがって、仮想キャリア上で送信されるデータは、複雑さが低減した受信機ユニットを使用して受信され及び復号され得る。
【０１９３】
「仮想キャリア」という用語は、本質的に、（ＷｉＭＡＸ又はＬＴＥなどの）ＯＦＤＭベース無線アクセス技術のためのホストキャリア内のＭＴＣタイプデバイスのための狭帯域キャリアに対応する。
【０１９４】
仮想キャリアの概念は、その内容が参照により本明細書に組み込まれる、（ＧＢ  １１０１９７０．０  ［２］、ＧＢ  １１０１９８１．７  ［３］、ＧＢ  １１０１９６６．８  ［４］、ＧＢ  １１０１９８３．３  ［５］、ＧＢ  １１０１８５３．８  ［６］、ＧＢ  １１０１９８２．５  ［７］、ＧＢ  １１０１９８０．９  ［８］及びＧＢ  １１０１９７２．６  ［９］を含む）いくつかの同時係属特許出願に記載されている。ただし、参照しやすいように、仮想キャリアの概念のいくつかの態様の概観がアネックス１に提示されている。
【０１９５】
［他の狭帯域シナリオ］
狭帯域システム帯域幅（即ち、従来のシステムがサブバンドＣＱＩ報告を行わない、周波数において６ＲＢを下回るシステム帯域幅）についての先の議論は、特に「６ＲＢ」の場合を考慮するときの「仮想キャリア」システムに関係しているが、読者は、同じ考慮事項が、システム帯域幅が例えば５ＭＨｚに限定された他の場合に等しく適用されることを、容易に了解されるであろう。
【０１９６】
［アネックス１］
仮想キャリアの概念は、（ＧＢ  １１０１９７０．０  ［２］、ＧＢ  １１０１９８１．７  ［３］、ＧＢ  １１０１９６６．８  ［４］、ＧＢ  １１０１９８３．３  ［５］、ＧＢ  １１０１８５３．８  ［６］、ＧＢ  １１０１９８２．５  ［７］、ＧＢ  １１０１９８０．９  ［８］及びＧＢ  １１０１９７２．６  ［９］を含む）いくつかの同時係属英国特許出願に記載されている。仮想キャリアの概念のいくつかの態様が以下に提示される。このセクションでは、以下の略語が頻繁に使用される：仮想キャリア−ＶＣ、ホストキャリア−ＨＣ、ユーザ機器−ＵＥ、リソースブロック−ＲＢ、無線周波数−ＲＦ、及びベースバンド−ＢＢ。
【０１９７】
従来のＯＦＤＭのように、仮想キャリアの概念は、中央周波数からの予め決定されるオフセットに配設された複数のサブキャリアを有する。したがって、中央周波数は仮想キャリア全体を特徴づける。
【０１９８】
典型的な仮想キャリア帯域幅は、ＬＴＥにおける最小の３ＧＰＰ帯域幅に従う、６つのリソースブロック（即ち７２個のサブキャリア）である。しかしながら、以下の説明でわかるように、ＶＣの帯域幅は決して６ＲＢに制限されない。
【０１９９】
ＬＴＥのための３ＧＰＰ規格のリリース８（ＲＥＬ８  ＬＴＥ）によれば、ＶＣリソースは、典型的には、ホストキャリア中央周波数の中央におかれたリソースブロック中にあり、システム帯域幅にかかわらず（そのＨＣ中央周波数の両側において）対称的に割り振られる。
【０２００】
図２０は、ホストキャリア中央周波数２００２の中央におかれたリソースブロックを占有する仮想キャリアサブシステム２００６をもつダウンリンクＬＴＥサブフレームの構造を示すグリッドの概略図である。仮想キャリア中央周波数（ｆ２＋ｆ１）／２は、ホストキャリアの中央周波数ｆｃになるように選択される。
【０２０１】
最初のｎ個のシンボルは、ＰＤＣＣＨ、ＰＣＦＩＣＨ又はＰＨＩＣＨ上で送信されるデータなど、ダウンリンク制御データの送信のために予約された制御領域２０００を形成する。
【０２０２】
ホストキャリア上で動作している端末デバイスが、訂正動作のために必要とし、既知の予め決定されるロケーションにおいて見つけることを予想し得るホストキャリアによって送信される信号が維持されるように、仮想キャリア２００６上の信号は配置される。
【０２０３】
従来のＬＴＥ端末がセル中でデータを送信及び受信し始め得る前に、それは最初にセルにキャンプオンする。同様に、仮想キャリアを使用する端末のために、適応されたキャンプオンプロセスが提供され得る。仮想キャリアのための好適なキャンプオンプロセスはＧＢ  １１１３８０１．３  ［１０］に詳細に記載されている。このキャンプオンプロセスは参照により本明細書に組み込まれる。
【０２０４】
図２０のＴ字形動作では、仮想キャリアロケーション情報は、提供された場合、ホストキャリア中の他の場所に提供され得る。仮想キャリアの他の実装形態では、例えば、仮想キャリア端末が、中央帯域の周りの狭帯域中で動作するようにそれの受信機を構成し得、仮想キャリア端末はその場合、ロケーション情報を見つけるためにそれの受信機設定を調整する必要がないので、この情報を中央帯域に提供することが有利であり得る。
【０２０５】
提供される仮想キャリアロケーション情報の量に応じて、仮想キャリア端末は、仮想キャリア送信を受信するようにそれの受信機を調整することができ、或いは仮想キャリア端末は、それがそうし得る前にさらなるロケーション情報を必要とし得る。
【０２０６】
例えば、仮想キャリア端末が、仮想キャリアの存在及び／又は仮想キャリア帯域幅を示しているが正確な仮想キャリア周波数範囲に関するいかなる詳細をも示さないロケーション情報を提供された場合、或いは仮想キャリア端末がいかなるロケーション情報をも提供されなかった場合、仮想キャリア端末は、（例えば、いわゆるブラインドサーチプロセスを実行して）仮想キャリアについてホストキャリアを走査することができよう。このプロセスもＧＢ  １１１３８０１．３  ［１０］において詳細に論じられている。
【０２０７】
以下の番号付き項に、本技法のさらなる例示的な態様及び特徴を提供する。
１．
ワイヤレス通信システムにおいて端末デバイスと基地局との間の通信リンクに対応するチャネル状態情報を報告するための方法であって、前記ワイヤレス通信システムは、少なくとも１つの特徴的なサブバンドサイズを有する複数のサブバンド部分に分割されるシステム帯域幅を有し、前記方法は、
前記システム帯域幅にわたって複数の通信リソース要素を提供することと、
前記通信リソース要素のうちの１つ以上中のチャネル状態に対応する１つ以上のチャネル状態パラメータを測定することと、
前記通信リソース要素の前記チャネル状態に対応する少なくとも１つの測定されたチャネル状態パラメータからアグリゲートチャネル状態情報を生成することと、
それぞれのサブバンド部分内の前記通信リソース要素の前記チャネル状態に対応する少なくとも１つの測定されたチャネル状態パラメータからサブバンドチャネル状態情報を生成することと
を含み、
前記サブバンド部分の前記サイズは無線伝搬条件に依存する、
方法。
２．
前記ワイヤレス通信システムは、複数のサブシステムサブバンド部分に分割されるサブシステム帯域幅をさらに有し、前記方法は、
前記サブシステム帯域幅にわたって複数のサブシステム通信リソース要素を提供することと、
前記サブシステム通信リソース要素のチャネル状態に対応する少なくとも１つの測定されたチャネル状態パラメータからサブシステムチャネル状態情報を生成することと、
それぞれのサブシステムサブバンド部分内の前記通信リソース要素の前記チャネル状態に対応する少なくとも１つの測定されたチャネル状態パラメータからサブシステムサブバンドチャネル状態情報を生成することと
をさらに含み、
前記サブシステムサブバンド部分の前記サイズは無線伝搬条件に依存する、
項１に記載の方法。
３．
前記サブバンド部分の前記サイズは無線リソースシグナリングでブロードキャストされる、項１又は項２に記載の方法。
４．
前記方法は、
前記通信リンクに関連する無線伝搬条件の少なくとも１つのカテゴリーを判定することと、
無線伝搬条件のカテゴリーに対応するサブバンドサイズをリストするルックアップテーブルを提供することと、
前記判定されたカテゴリーに関連する前記サブバンドサイズを選択することと
をさらに含む、項１又は項２に記載の方法。
５．
前記カテゴリー分類された無線伝搬条件は、
前記基地局のサイトタイプと、
前記基地局ロケーションのモフォロジタイプと、
前記端末デバイスのモビリティタイプと、
基地局の前記タイプのインジケータと
を含む無線伝搬条件のグループから選択される少なくとも１つの無線伝搬条件を含む、項４に記載の方法。
６．
前記方法は、
周囲無線伝搬条件の少なくとも１つのカテゴリーを判定することと、
少なくとも１つの周囲無線伝搬条件に従ってサブバンドサイズを計算することと、
前記判定されたカテゴリーに関連する前記サブバンドサイズを選択することと
をさらに含む、請求項１〜５のいずれか一項に記載の方法。
７．
前記カテゴリー分類された周囲無線伝搬条件は、
遅延拡散の尺度と、
ＳＩＮＲ測定値と、
ダウンリンクデータチャネルの送信モードのインジケータと
を含む周囲無線伝搬条件のグループから選択される少なくとも１つの無線伝搬条件を含む、項８に記載の方法。
８．
前記方法は、
ＵＥが受ける少なくとも１つの無線伝搬特性を測定することと、
前記測定された無線伝搬特性に従って動的サブバンドサイズを計算することと、
予め決定される時間期間の間、前記サブバンドサイズとして前記動的サブバンドサイズを使用することと
をさらに含む、項１〜５のいずれか一項に記載の方法。
９．
前記測定された無線伝搬特性は、
遅延拡散の尺度と、
ＳＩＮＲ測定値と、
ダウンリンクデータチャネルの送信モードのインジケータと
を含む測定されたパラメータのグループから選択される少なくとも１つの無線伝搬特性を含む、請求項８に記載の方法。
１０．
前記サブバンド部分のサイズの変化をシグナリングすることをさらに含み、無線伝搬条件の変化に対応するサブバンドサイズの前記変化はＬ１シグナリングで示される、項１〜９のいずれか一項に記載の方法。
１１．
前記サブバンド部分のサイズの変化をシグナリングすることをさらに含み、無線伝搬条件の変化に対応するサブバンドサイズの前記変化は無線リソースシグナリングで示される、項１〜９のいずれか一項に記載の方法。
１２．
前記複数のサブバンド部分は複数の特徴的なサブバンドサイズを有し、前記サブバンド部分の少なくとも第１のグループは第１の特徴的なサブバンドサイズを有し、前記サブバンド部分の第２のグループは第２の特徴的なサブバンドサイズを有し、前記第１の特徴的なサブバンドサイズと前記第２の特徴的なサブバンドサイズは異なり、それによって、前記システム帯域幅の異なる部分について異なる程度の粒度でチャネル状態情報を報告することが可能になる、項１〜１１のいずれか一項に記載の方法。
１３．
ワイヤレス通信システムにおいて基地局への通信リンクに対応するチャネル状態情報を報告するための端末デバイスであって、前記ワイヤレス通信システムは、少なくとも１つの特徴的なサブバンドサイズを有する複数のサブバンド部分に分割されるシステム帯域幅を有し、前記システム帯域幅にわたって複数の通信リソース要素を提供し、前記端末デバイスは、
前記通信リソース要素のうちの１つ以上中のチャネル状態に対応する１つ以上のチャネル状態パラメータを測定するように動作可能な測定ユニットと、
前記通信リソース要素の前記チャネル状態に対応する少なくとも１つの測定されたチャネル状態パラメータからアグリゲートチャネル状態情報を生成することと、それぞれのサブバンド部分内の前記通信リソース要素の前記チャネル状態に対応する少なくとも１つの測定されたチャネル状態パラメータからサブバンドチャネル状態情報を生成することとを行うように動作可能な処理ユニットと
を備え、
前記サブバンド部分の前記サイズは無線伝搬条件に依存する、
端末デバイス。
１４．
前記ワイヤレス通信システムは、複数のサブシステムサブバンド部分に分割されるサブシステム帯域幅をさらに有し、前記サブシステム帯域幅にわたって複数のサブシステム通信リソース要素を提供し、
前記処理ユニットは、前記サブシステム通信リソース要素の前記チャネル状態に対応する少なくとも１つの測定されたチャネル状態パラメータからサブシステムチャネル状態情報を生成することと、
それぞれのサブシステムサブバンド部分内の前記通信リソース要素の前記チャネル状態に対応する少なくとも１つの測定されたチャネル状態パラメータからサブシステムサブバンドチャネル状態情報を生成することと
を行うようにさらに動作可能であり、
前記サブシステムサブバンド部分の前記サイズは無線伝搬条件に依存する、
項１３に記載の端末デバイス。
１５．
無線リソース制御（ＲＲＣ）プロトコルに準拠するアップリンク信号を準備するように適応されるプロトコル回路をさらに備え、前記サブバンド部分の前記サイズは無線リソースシグナリングでブロードキャストされる、項１３又は項１４に記載の端末デバイス。
１６．
前記端末デバイスは、前記通信リンクに関連する無線伝搬条件の少なくとも１つのカテゴリーを判定するように適応されるサブバンドサイズセレクタをさらに備え、前記サブバンドサイズセレクタは、無線伝搬条件のカテゴリーに対応するサブバンドサイズをリストするルックアップテーブルを記憶するデータベースを含み、前記サブバンドサイズセレクタは、前記判定されたカテゴリーに関連する前記サブバンドサイズになるように前記サブバンドサイズを定義する、項１３又は項１４に記載の端末デバイス。
１７．
前記カテゴリー分類された無線伝搬条件は、
前記基地局のサイトタイプと、
前記基地局ロケーションのモフォロジタイプと、
前記端末デバイスのモビリティタイプと、
基地局の前記タイプのインジケータと
を含む無線伝搬条件のグループから選択される少なくとも１つの無線伝搬条件を含む、項１６に記載の端末デバイス。
１８．
前記端末デバイスは、周囲無線伝搬条件の少なくとも１つのカテゴリーを判定するように適応されるサブバンドサイズセレクタをさらに備え、前記サブバンドサイズセレクタは、少なくとも１つの周囲無線伝搬条件の前記判定されたカテゴリーに従ってサブバンドサイズを計算し、前記サブバンドサイズセレクタは、前記判定されたカテゴリーに関連する前記サブバンドサイズになるように前記サブバンドサイズを定義する、項１３又は項１４に記載の端末デバイス。
１９．
前記カテゴリー分類された周囲無線伝搬条件は、
遅延拡散の尺度と、
ＳＩＮＲ測定値と、
ダウンリンクデータチャネルの送信モードのインジケータと
を含む周囲無線伝搬条件のグループから選択される少なくとも１つの無線伝搬条件を含む、項１８に記載の端末デバイス。
２０．
前記測定ユニットは、前記端末デバイスが受ける少なくとも１つの無線伝搬特性を測定するようにさらに動作可能であり、前記端末デバイスは、前記測定された無線伝搬特性に従って動的サブバンドサイズを計算することと、予め決定される時間期間の間、前記サブバンドサイズとして前記動的サブバンドサイズを使用することとを行うように適応されるサブバンドサイズセレクタをさらに備える、項１３又は項１４に記載の端末デバイス。
２１．
前記測定された無線伝搬特性は、
遅延拡散の尺度と、
ＳＩＮＲ測定値と、
ダウンリンクデータチャネルの送信モードのインジケータと
を含む測定されたパラメータのグループから選択される少なくとも１つの無線伝搬特性を含む、項２０に記載の端末デバイス。
２２．
前記サブバンド部分のサイズの変化をシグナリングするための手段と、レイヤ１（Ｌ１）プロトコルに準拠するアップリンク信号を準備するように適応されるプロトコル回路とをさらに備え、無線伝搬条件の変化に対応するサブバンドサイズの前記変化はＬ１シグナリングで示される、項１３〜２１のいずれか一項に記載の端末デバイス。
２３．
前記サブバンド部分のサイズの変化をシグナリングするための手段と、前記無線リソース制御（ＲＲＣ）プロトコルに準拠するアップリンク信号を準備するように適応されるプロトコル回路とをさらに備え、無線伝搬条件の変化に対応するサブバンドサイズの前記変化は無線リソースシグナリングで示される、項１３〜２１のいずれか一項に記載の端末デバイス。
２４．
前記複数のサブバンド部分は複数の特徴的なサブバンドサイズを有し、前記サブバンド部分の少なくとも第１のグループは第１の特徴的なサブバンドサイズを有し、前記サブバンド部分の第２のグループは第２の特徴的なサブバンドサイズを有し、前記第１の特徴的なサブバンドサイズと前記第２の特徴的なサブバンドサイズは異なり、それによって、前記システム帯域幅の異なる部分について異なる程度の粒度でチャネル状態情報を報告することが可能になる、項１３〜２３のいずれか一項に記載の端末デバイス。
【０２０８】
参考文献
［１］  ＥＴＳＩ  ＴＳ  １２２  ３６８  Ｖ１０．５３０  （２０１１−０７）  ／  ３ＧＰＰ  ＴＳ  ２２．３６８  バージョン１０．５．０  リリース１０）
［２］  英国特許出願ＧＢ  １１０１９７０．０
［３］  英国特許出願ＧＢ  １１０１９８１．７
［４］  英国特許願ＧＢ  １１０１９６６．８
［５］  英国特許願ＧＢ  １１０１９８３．３
［６］  英国特許願ＧＢ  １１０１８５３．８
［７］  英国特許願ＧＢ  １１０１９８２．５
［８］  英国特許願ＧＢ  １１０１９８０．９
［９］  英国特許願ＧＢ  １１０１９７２．６
［１０］  英国特許願ＧＢ  １１１３８０１．３
［１１］  英国特許願ＧＢ  １１２１７６７．６
【図１】
0006336485.tif 000015
【図２】
0006336485.tif 000016
【図３】
0006336485.tif 000017
【図４Ａ】
0006336485.tif 000018
【図４Ｂ】
0006336485.tif 000019
【図４Ｃ】
0006336485.tif 000020
【図５】
0006336485.tif 000021
【図６】
0006336485.tif 000022
【図７】
0006336485.tif 000023
【図８】
0006336485.tif 000024
【図９】
0006336485.tif 000025
【図１０】
0006336485.tif 000026
【図１１Ａ】
0006336485.tif 000027
【図１１Ｂ】
0006336485.tif 000028
【図１１Ｃ】
0006336485.tif 000029
【図１２】
0006336485.tif 000030
【図１３】
0006336485.tif 000031
【図１４】
0006336485.tif 000032
【図１５】
0006336485.tif 000033
【図１６】
0006336485.tif 000034
【図１７】
0006336485.tif 000035
【図１８】
0006336485.tif 000036
【図１９】
0006336485.tif 000037
【図２０】
0006336485.tif 000038
【図２１Ａ】
0006336485.tif 000039
【図２１Ｂ】
0006336485.tif 000040
【図２２】
0006336485.tif 000041
【図２３】
0006336485.tif 000042